(57)【要約】  本開示は、セル再選択方法、端末及びネットワーク機器を提供する。該方法において、セル再選択に関する再選択情報であって、隣接セルのセルレベル再選択パラメータを含む再選択情報を取得することと、セルレベル再選択パラメータと、隣接セルへ再選択の再選択条件とに基づいて、セル再選択手順を実行することとを含む。【選択図】図２
2021533692.tif 000002
【特許請求の範囲】
【請求項１】
端末に応用されるセル再選択方法であって、
セル再選択に関する再選択情報であって、隣接セルのセルレベル再選択パラメータを含む再選択情報を取得することと、
前記セルレベル再選択パラメータと、前記隣接セルへ再選択の再選択条件とに基づいて、セル再選択手順を実行することと、
を含む、セル再選択方法。
【請求項２】
前記再選択情報は、前記端末が在圏するソースセルのネットワーク機器によって設定され、
又は、前記再選択情報は、受信メッセージ履歴から取得される、請求項１に記載のセル再選択方法。
【請求項３】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項１又は２に記載のセル再選択方法。
【請求項４】
前記最小受信信号レベル強度パラメータは、前記隣接セルがブロードキャストする目標最小受信信号レベル強度値であり、
又は、
前記最小受信信号レベル強度パラメータは、前記隣接セルに対応する周波数点レベル最小受信信号レベル強度値と、前記目標最小受信信号レベル強度値と前記周波数点レベル最小受信信号レベル強度値との差である第１オフセット値とを含む、請求項３に記載のセル再選択方法。
【請求項５】
前記最小受信信号レベル強度オフセットパラメータは、前記隣接セルがブロードキャストする目標最小受信信号レベル強度オフセット値であり、
又は、
前記最小受信信号レベル強度オフセットパラメータは、前記隣接セルに対応する周波数点レベル最小受信信号レベル強度オフセット値と、前記目標最小受信信号レベル強度オフセット値と前記周波数点レベル最小受信信号レベル強度オフセット値との差である第２オフセット値とを含む、請求項３に記載のセル再選択方法。
【請求項６】
前記最小信号品質パラメータは、前記隣接セルがブロードキャストする目標最小信号品質値であり、
又は、
前記最小信号品質パラメータは、前記隣接セルに対応する周波数点レベル最小信号品質値と、前記目標最小信号品質値と前記周波数点レベル最小信号品質値との差である第３オフセット値とを含む、請求項３に記載のセル再選択方法。
【請求項７】
前記最小信号品質オフセットパラメータは、前記隣接セルがブロードキャストする目標最小信号品質オフセット値であり、
又は、
前記最小信号品質オフセットパラメータは、前記隣接セルに対応する周波数点レベル最小信号品質オフセット値と、前記目標最小信号品質オフセット値と前記周波数点レベル最小信号品質オフセット値との差である第４オフセット値とを含む、請求項３に記載のセル再選択方法。
【請求項８】
前記測定バイアスパラメータは、前記隣接セルがブロードキャストする目標測定バイアス値であり、
又は、
前記測定バイアスパラメータは、前記隣接セルに対応する周波数点レベルの測定バイアス値と、前記目標測定バイアス値と前記周波数点レベルの測定バイアス値とのオフセット値である第５オフセット値とを含む、請求項３に記載のセル再選択方法。
【請求項９】
前記測定バイアスパラメータは、連続障害オフセットパラメータ及び／又はセル仮オフセットパラメータを含む、請求項８に記載のセル再選択方法。
【請求項１０】
前記電力補償パラメータは、最大電力パラメータ及び電力ランクパラメータに基づいて決定される、請求項３に記載のセル再選択方法。
【請求項１１】
前記最大電力パラメータは、前記隣接セルに対応する目標最大電力値であり、
又は、
前記最大電力パラメータは、前記隣接セルに対応する周波数点レベルの最大電力値と、前記目標最大電力値と前記周波数点レベルの最大電力値との差である第６オフセット値とを含む、請求項１０に記載のセル再選択方法。
【請求項１２】
前記セルレベル再選択パラメータと、前記隣接セルへ再選択の再選択条件とに基づいて、セル再選択手順を実行することは、
測定された受信信号レベル強度値と、前記セルレベル再選択パラメータのうちの前記最小受信信号レベル強度パラメータ、前記最小受信信号レベル強度オフセットパラメータ、前記電力補償パラメータ、及び前記測定バイアスパラメータのうちの少なくとも１つとに基づいて、前記隣接セルのセル選択受信信号レベル強度値を算出することと、
測定された受信信号品質値と、前記セルレベル再選択パラメータのうちの前記最小信号品質パラメータ、前記最小信号品質オフセットパラメータ、及び前記測定バイアスパラメータのうちの少なくとも１つとに基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含む、請求項３に記載のセル再選択方法。
【請求項１３】
前記セルレベル再選択パラメータと、前記隣接セルへ再選択の再選択条件とに基づいて、セル再選択手順を実行することは、
最小受信信号レベル強度パラメータ、最小受信信号レベル強度オフセットパラメータ、電力補償パラメータ及び測定バイアスパラメータの少なくとも１つのパラメータの周波数点レベルパラメータ値である第１目標パラメータ値、測定された受信信号レベル強度値及び前記第１目標オフセット量に基づいて、前記隣接セルのセル選択受信信号レベル強度値を算出することと、
最小信号品質パラメータ、最小信号品質オフセットパラメータ及び測定バイアスパラメータの少なくとも１つのパラメータの周波数点レベルパラメータ値である第２目標パラメータ値、測定された受信信号品質値、及び前記第２目標オフセット量に基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含む、請求項３に記載のセル再選択方法。
【請求項１４】
前記セルレベル再選択パラメータと、前記隣接セルへ再選択の再選択条件とに基づいて、セル再選択手順を実行することは、
測定された受信信号レベル強度値及び第１中間量に基づいて、前記隣接セルのセル選択受信信号レベル強度値を算出することと、
測定された受信信号品質値及び第２中間量に基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含む、請求項３に記載のセル再選択方法。
【請求項１５】
前記セル選択受信信号レベル強度値と、前記セル選択信号品質値と、前記隣接セルへ再選択の再選択条件とに基づいて、セル再選択手順を実行することは、
前記隣接セルの優先度がソースセルの優先度と同一であり、又は前記隣接セルと前記ソースセルとが同じ周波数点にある場合、前記セル選択受信信号レベル強度値及び前記セル選択信号品質値の両方が０よりも大きくなると、前記ソースセル及び前記隣接セルをランク付けすることと、
前記ソースセルからランク付け閾値が提供されなければ、前記ソースセルから前記隣接セルのうち最もランクの高いセルへ再選択することを含み、
又は、
前記ソースセルから前記ランク付け閾値が提供された場合、前記ソースセルから、前記隣接セルのうち最も高いランクのセルとのランク差が前記ランク付け閾値以下である第１セルのうち、品質が閾値よりも高くビーム数が最も多いセルへ再選択することを含む、請求項１１〜１３のいずれか１項に記載のセル再選択方法。
【請求項１６】
前記セル選択受信信号レベル強度値と、前記セル選択信号品質値と、前記隣接セルへ再選択の再選択条件とに基づいて、セル再選択手順を実行することは、
前記隣接セルの優先度がソースセルの優先度よりも低い場合、前記ソースセルから前記ソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内に前記ソースセルのＳｑｕａｌ＜ＴｈｒｅｓｈＳｅｒｖｉｎｇ，ＬｏｗＱ、且つ、前記隣接セルのＳｑｕａｌ＞ＴｈｒｅｓｈＸ，ＬｏｗＱ又は前記隣接セルのＳｒｘｌｅｖ＞ＴｈｒｅｓｈＸ，ＬｏｗＰのであれば、前記ソースセルから前記隣接セルへ再選択すること、
又は、
前記ソースセルから前記ソースセルの前記ＴｈｒｅｓｈＳｅｒｖｉｎｇ，ＬｏｗＱが提供されない場合、再選択時間帯ＴｒｅｓｅｌｅｃｔｉｏｎＲＡＴ内に前記ソースセルのＳｒｘｌｅｖ＜ＴｈｒｅｓｈＳｅｒｖｉｎｇ，ＬｏｗＰ、且つ前記隣接セルのＳｒｘｌｅｖ＞ＴｈｒｅｓｈＸ，ＬｏｗＰのであれば、前記ソースセルから前記隣接セルへ再選択することを含み、
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、前記ソースセルのＳｑｕａｌ閾値であり、ＴｈｒｅｓｈＳｅｒｖｉｎｇ，ＬｏｗＰは、前記ソースセルのＳｒｘｌｅｖ閾値であり、ＴｈｒｅｓｈＸ，ＬｏｗＱは、前記隣接セルのＳｑｕａｌ閾値であり、ＴｈｒｅｓｈＸ，ＬｏｗＰは、前記隣接セルのＳｒｘｌｅｖ閾値である、請求項１１〜１３のいずれか１項に記載のセル再選択方法。
【請求項１７】
前記セル選択受信信号レベル強度値と、前記セル選択信号品質値と、前記隣接セルへ再選択の再選択条件とに基づいて、セル再選択手順を実行することは、
前記隣接セルの優先度がソースセルの優先度よりも高い場合、前記ソースセルから前記ソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内に前記隣接セルのＳｑｕａｌ＞ＴｈｒｅｓｈＸ，ＨｉｇｈＱのであれば、前記ソースセルから前記隣接セルへ再選択すること、
又は、
前記ソースセルから前記ソースセルの前記ＴｈｒｅｓｈＳｅｒｖｉｎｇ，ＬｏｗＱが提供されない場合、再選択時間帯ＴｒｅｓｅｌｅｃｔｉｏｎＲＡＴ内に前記隣接セルのＳｒｘｌｅｖ＞ＴｈｒｅｓｈＸ，ＨｉｇｈＰのであれば、前記ソースセルから前記隣接セルへ再選択することを含み、
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、前記ソースセルのＳｑｕａｌ閾値であり、ＴｈｒｅｓｈＸ，ＨｉｇｈＱは、前記隣接セルのＳｑｕａｌ閾値であり、ＴｈｒｅｓｈＸ，ＨｉｇｈＰは、前記隣接セルのＳｒｘｌｅｖ閾値である、請求項１１〜１３のいずれか１項に記載のセル再選択方法。
【請求項１８】
前記再選択情報は、前記隣接セルの物理セル識別子ＰＣＩを更に含み、前記ＰＣＩは、前記セルレベル再選択パラメータに対応する、請求項１に記載のセル再選択方法。
【請求項１９】
前記再選択情報は、前記隣接セルの優先度を示す優先度情報を更に含む、請求項１に記載のセル再選択方法。
【請求項２０】
前記優先度情報は、基本優先度情報を含み、
又は、前記優先度情報は、基本優先度情報と副優先度情報を含み、ここで、前記副優先度情報の値の粒度は、前記基本優先度情報の値の粒度よりも小さい、請求項１９に記載のセル再選択方法。
【請求項２１】
セル再選択に関する再選択情報であって、隣接セルのセルレベル再選択パラメータを含む再選択情報を取得する取得モジュールと、
前記セルレベル再選択パラメータと、前記隣接セルへ再選択の再選択条件とに基づいて、セル再選択手順を実行する再選択モジュールと、
を含む、端末。
【請求項２２】
前記再選択情報は、前記端末が在圏するソースセルのネットワーク機器によって設定され、
又は、前記再選択情報は、受信メッセージ履歴から取得される、請求項２１に記載の端末。
【請求項２３】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項２１又は２２に記載の端末。
【請求項２４】
前記再選択モジュールは、
測定された受信信号レベル強度値と、前記セルレベル再選択パラメータのうちの前記最小受信信号レベル強度パラメータ、前記最小受信信号レベル強度オフセットパラメータ、前記電力補償パラメータ、及び前記測定バイアスパラメータのうちの少なくとも１つとに基づいて、前記隣接セルのセル選択受信信号レベル強度値を算出する第１算出サブモジュールと、
測定された受信信号品質値と、前記セルレベル再選択パラメータのうちの前記最小信号品質パラメータ、前記最小信号品質オフセットパラメータ、及び前記測定バイアスパラメータのうちの少なくとも１つとに基づいて、前記隣接セルのセル選択信号品質値を算出する第２算出サブモジュールと、
前記セル選択受信信号レベル強度値と、前記セル選択信号品質値と、前記隣接セルへ再選択の再選択条件とに基づいて、セル再選択手順を実行する再選択サブモジュールとを含む、請求項２３に記載の端末。
【請求項２５】
前記再選択モジュールは、
最小受信信号レベル強度パラメータ、最小受信信号レベル強度オフセットパラメータ、電力補償パラメータ及び測定バイアスパラメータの少なくとも１つのパラメータの周波数点レベルパラメータ値である第１目標パラメータ値、測定された受信信号レベル強度値及び前記第１目標オフセット量に基づいて、前記隣接セルのセル選択受信信号レベル強度値を算出する第３算出サブモジュールと、
最小信号品質パラメータ、最小信号品質オフセットパラメータ及び測定バイアスパラメータの少なくとも１つのパラメータの周波数点レベルパラメータ値である第２目標パラメータ値、測定された受信信号品質値、及び前記第２目標オフセット量に基づいて、前記隣接セルのセル選択信号品質値を算出する第４算出サブモジュールと、
前記セル選択受信信号レベル強度値と、前記セル選択信号品質値と、前記隣接セルへ再選択の再選択条件とに基づいて、セル再選択手順を実行する再選択サブモジュールとを含む、請求項２３に記載の端末。
【請求項２６】
前記再選択モジュールは、
測定された受信信号レベル強度値及び第１中間量に基づいて、前記隣接セルのセル選択受信信号レベル強度値を算出する第５算出サブモジュールと、
測定された受信信号品質値及び第２中間量に基づいて、前記隣接セルのセル選択信号品質値を算出する第６算出サブモジュールと、
前記セル選択受信信号レベル強度値と、前記セル選択信号品質値と、前記隣接セルへ再選択の再選択条件とに基づいて、セル再選択手順を実行する再選択サブモジュールとを含む、請求項２３に記載の端末。
【請求項２７】
前記再選択サブモジュールは、
前記隣接セルの優先度がソースセルの優先度と同一であり、又は前記隣接セルと前記ソースセルとが同じ周波数点にある場合、前記セル選択受信信号レベル強度値及び前記セル選択信号品質値の両方が０よりも大きくなると、前記ソースセル及び前記隣接セルをランク付けするランク付けユニットと、
前記ソースセルからランク付け閾値が提供されなければ、前記ソースセルから前記隣接セルのうち最もランクの高いセルへ再選択する第１再選択ユニットを含み、
又は、
前記ソースセルから前記ランク付け閾値が提供された場合、前記ソースセルから、前記隣接セルのうち最も高いランクのセルとのランク差が前記ランク付け閾値以下である第１セルのうち、品質が閾値よりも高くビーム数が最も多いセルへ再選択する第２再選択ユニとを含む、請求項２４〜２６のいずれか１項に記載の端末。
【請求項２８】
前記再選択サブモジュールは、
前記隣接セルの優先度がソースセルの優先度よりも低い場合、前記ソースセルから前記ソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内に前記ソースセルのＳｑｕａｌ＜ＴｈｒｅｓｈＳｅｒｖｉｎｇ，ＬｏｗＱ、且つ、前記隣接セルのＳｑｕａｌ＞ＴｈｒｅｓｈＸ，ＬｏｗＱ又は前記隣接セルのＳｒｘｌｅｖ＞ＴｈｒｅｓｈＸ，ＬｏｗＰのであれば、前記ソースセルから前記隣接セルへ再選択する第３再選択ユニット、
又は、
前記ソースセルから前記ソースセルの前記ＴｈｒｅｓｈＳｅｒｖｉｎｇ，ＬｏｗＱが提供されない場合、再選択時間帯ＴｒｅｓｅｌｅｃｔｉｏｎＲＡＴ内に前記ソースセルのＳｒｘｌｅｖ＜ＴｈｒｅｓｈＳｅｒｖｉｎｇ，ＬｏｗＰ、且つ前記隣接セルのＳｒｘｌｅｖ＞ＴｈｒｅｓｈＸ，ＬｏｗＰのであれば、前記ソースセルから前記隣接セルへ再選択する第４再選択ユニットを含み、
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、前記ソースセルのＳｑｕａｌ閾値であり、ＴｈｒｅｓｈＳｅｒｖｉｎｇ，ＬｏｗＰは、前記ソースセルのＳｒｘｌｅｖ閾値であり、ＴｈｒｅｓｈＸ，ＬｏｗＱは、前記隣接セルのＳｑｕａｌ閾値であり、ＴｈｒｅｓｈＸ，ＬｏｗＰは、前記隣接セルのＳｒｘｌｅｖ閾値である、請求項２４〜２６のいずれか１項に記載の端末。
【請求項２９】
前記再選択サブモジュールは、
前記隣接セルの優先度がソースセルの優先度よりも高い場合、前記ソースセルから前記ソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内に前記隣接セルのＳｑｕａｌ＞ＴｈｒｅｓｈＸ，ＨｉｇｈＱのであれば、前記ソースセルから前記隣接セルへ再選択する第５再選択ユニット、
又は、
前記ソースセルから前記ソースセルの前記ＴｈｒｅｓｈＳｅｒｖｉｎｇ，ＬｏｗＱが提供されない場合、再選択時間帯ＴｒｅｓｅｌｅｃｔｉｏｎＲＡＴ内に前記隣接セルのＳｒｘｌｅｖ＞ＴｈｒｅｓｈＸ，ＨｉｇｈＰのであれば、前記ソースセルから前記隣接セルへ再選択する第６再選択ユニットを含み、
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、前記ソースセルのＳｑｕａｌ閾値であり、ＴｈｒｅｓｈＸ，ＨｉｇｈＱは、前記隣接セルのＳｑｕａｌ閾値であり、ＴｈｒｅｓｈＸ，ＨｉｇｈＰは、前記隣接セルのＳｒｘｌｅｖ閾値である、請求項２４〜２６のいずれか１項に記載の端末。
【請求項３０】
プロセッサと、メモリと、前記メモリに格納されて前記プロセッサで実行されるコンピュータプログラムとを含む端末であって、
前記コンピュータプログラムが前記プロセッサによって実行されると、請求項１〜２０のいずれか１項に記載のセル再選択方法が実現される、端末。
【請求項３１】
ネットワーク機器に応用されるセル再選択方法であって、
セル再選択に関する再選択情報であって、隣接セルのセルレベル再選択パラメータを含む再選択情報を送信することを含む、セル再選択方法。
【請求項３２】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項３１に記載のセル再選択方法。
【請求項３３】
セル再選択に関する再選択情報であって、隣接セルのセルレベル再選択パラメータを含む再選択情報を送信する送信モジュールを含む、ネットワーク機器。
【請求項３４】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項３３に記載のネットワーク機器。
【請求項３５】
プロセッサと、メモリと、前記メモリに格納されて前記プロセッサで実行されるコンピュータプログラムとを含むネットワーク機器であって、
前記プロセッサが前記コンピュータプログラムを実行すると、請求項３１又は３２に記載のセル再選択方法が実現される、ネットワーク機器。
【請求項３６】
コンピュータプログラムが格納されているコンピュータ読み取り可能な記憶媒体であって、
前記コンピュータプログラムがプロセッサによって実行されると、請求項１〜２０、３１、３２のいずれか１項に記載のセル再選択方法が実現される、コンピュータ読み取り可能な記憶媒体。
【発明の詳細な説明】
【技術分野】
【０００１】
（関連出願の相互参照）
本願は、２０１８年８月９日に中国特許庁に提出された中国特許出願２０１８１０９０４６５６．４の優先権を主張し、その全ての内容が援用によりここに取り込まれる。
本開示は、通信技術分野に係り、特にセル再選択方法、端末及びネットワーク機器に係る。
【背景技術】
【０００２】
移動通信システムにおいて、端末は、初期アクセス時に、どの無線周波数チャネルＲＦ  ｃｈａｎｎｅｌ（Ｒａｄｉｏ  Ｆｒｅｑｕｅｎｃｙ  ｃｈａｎｎｅｌ）がアクセスに適しているかを予め把握していないため、端末能力に応じて、全てのＲＦ  ｃｈａｎｎｅｌを逐一にスキャン（ｓｃａｎ）して、適切な（ｓｕｉｔａｂｌｅ）セルを探す。ここで、端末は、スキャン毎のキャリア周波数上で最も信号品質の強いセルを探すだけでよく、適切なセルが見つかると、そのセルを選択してアクセス及びキャンプオンし、初期セル選択手順を停止し、未スキャンのＲＦ  ｃｈａｎｎｅｌがまだあっても、それをスキャンする必要もない。
【０００３】
端末がサービングセルにキャンプオンしている間、端末は、ネットワーク機器によって提供された周波数点優先度の順に、各周波数点について適切な再選択隣接セルがあるか否かを順次評価し、再選択のために適切な隣接セルが検出されると、その周波数点上のセルに対して再選択手順を開始する。
【０００４】
現在、セル再選択を行う場合、条件を満たす隣接セルを順序付ける必要がある。隣接セルが条件を満たすか否かを判断するパラメータは、ネットワーク機器がブロードキャストするシステム情報から得られるが、ネットワーク機器がブロードキャストする関連パラメータは、周波数点（ｐｅｒ−ｆｒｅｑｕｅｎｃｙ）に基づくものであり、隣接セルの具体的な状況を反映することができない。そのため、端末がセルを介してある隣接セルへ再選択した後、そのセルが再選択条件を満たさず、そのセルにキャンプオンすることができないことが発見され、端末が再び再選択し又はソースセルに戻る必要があり、ピンポン効果を招くという問題が存在する可能性がある。
【発明の概要】
【発明が解決しようとする課題】
【０００５】
本開示の一部実施例は、セル再選択におけるピンポン効果問題を解決するために、セル再選択方法、端末及びネットワーク機器を提供する。
【課題を解決するための手段】
【０００６】
第１態様として、本開示の一部実施例に係る、端末に応用されるセル再選択方法は、
セル再選択に関する再選択情報であって、隣接セルのセルレベル再選択パラメータを含む再選択情報を取得することと、
セルレベル再選択パラメータと、隣接セルへ再選択の再選択条件とに基づいて、セル再選択手順を実行することと、
を含む。
【０００７】
第２態様として、本開示の一部実施例に係る、端末は、
セル再選択に関する再選択情報であって、隣接セルのセルレベル再選択パラメータを含む再選択情報を取得する取得モジュールと、
セルレベル再選択パラメータと、隣接セルへ再選択の再選択条件とに基づいて、セル再選択手順を実行する再選択モジュールと、
を含む。
【０００８】
第３態様として、本開示の一部実施例に係る、プロセッサと、メモリと、メモリに格納されてプロセッサで実行されるコンピュータプログラムとを含む端末は、
コンピュータプログラムがプロセッサによって実行されると、上記のセル再選択方法が実現される。
【０００９】
第４態様として、本開示の一部実施例に係る、ネットワーク機器に応用されるセル再選択方法は、
セル再選択に関する再選択情報であって、隣接セルのセルレベル再選択パラメータを含む再選択情報を送信することを含む。
【００１０】
第５態様として、本開示の一部実施例に係る、ネットワーク機器は、
セル再選択に関する再選択情報であって、隣接セルのセルレベル再選択パラメータを含む再選択情報を送信する送信モジュールを含む。
【００１１】
第６態様として、本開示の一部実施例に係る、プロセッサと、メモリと、メモリに格納されてプロセッサで実行されるコンピュータプログラムとを含むネットワーク機器は、
コンピュータプログラムがプロセッサによって実行されると、上記のセル再選択方法が実現される。
【００１２】
第７態様として、本開示の一部実施例に係る、コンピュータプログラムが格納されているコンピュータ読み取り可能な記憶媒体は、
コンピュータプログラムがプロセッサによって実行されると、上記の端末又はネットワーク機器のセル再選択方法が実現される。
【発明の効果】
【００１３】
このように、本開示の一部実施例は、上記技術手段によれば、端末が隣接セルのセルレベル再選択パラメータを取得し、セルレベル再選択パラメータに基づいてセル再選択を行うことで、再選択後のセルの品質がキャンプオン要件を満たすことを保証し、セル再選択の後に端末の接続が安定しない問題が避けられる。
【００１４】
本開示の一部実施例の技術手段をより明確に説明するために、以下、本開示の一部実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１５】
【図１】本開示の一部実施例の応用可能な移動通信システムのブロック図である。
【図２】本開示の一部実施例に係る端末のセル再選択方法のフローチャートである。
【図３】本開示の一部実施例に係る端末のモジュール構造図である。
【図４】本開示の一部実施例に係る端末のブロック図である。
【図５】本開示の一部実施例に係るネットワーク機器のセル再選択方法のフローチャートである。
【図６】本開示の一部実施例に係るネットワーク機器のモジュール構造図である。
【図７】本開示の一部実施例に係るネットワーク機器のブロック図である。
【発明を実施するための形態】
【００１６】
以下、添付図面を参照して本開示の例示的な実施例を更に詳細に記載する。本開示の例示的な実施例を図面に示しているが、本開示は、ここで説明した実施例に限定されることなく様々な形態で実現できる。これらの実施例を示すことは、本開示をより徹底的に理解してもらい、本開示の範囲を当業者に全面的に伝えるためである。
【００１７】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施できるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。本明細書及び特許請求の範囲において、「及び／又は」は、連結された対象の少なくとも１つを意味する。
【００１８】
本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムにも使用できる。用語「システム」及び「ネットワーク」は、しばしば交換可能に使用される。本明細書で説明される技術は、以上で言及されたシステム及び無線技術に使用されるのみならず、他のシステム及び無線技術にも使用される。しかしながら、以下の説明は、例示の目的でＮＲ（Ｎｅｗ  Ｒａｄｉｏ）システムを説明し、以下の説明の大部分においてＮＲという用語が使用されるが、これらの技術は、ＮＲシステムの適用以外にも適用される。
【００１９】
以下の説明は、特許請求の範囲に記載された範囲、適用可能性又は構成を限定することなく例を提供する。本開示の趣旨及び範囲から逸脱することなく、論じられた要素の機能及び構成を変更することができる。様々な例は、様々な手順又は構成要素を適切に省略、置換又は追加することができる。例えば、説明された方法は、説明されたものとは異なる順序で実行されてもよく、様々なステップが追加、省略、又は組み合わされてもよい。更に、いくつかの例を基準して説明される特徴は、他の例において組み合わされてもよい。
【００２０】
図１を参照する。図１は、本開示の実施例の応用可能な無線通信システムのブロック図を示す。無線通信システムは、端末１１とネットワーク機器１２とを含む。ここで、端末１１は、端末機器又はユーザ端末ＵＥ（Ｕｓｅｒ  Ｅｑｕｉｐｍｅｎｔ）とも呼ばれる。端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の一部実施例において、端末１１の具体的なタイプは、限定されない。ネットワーク機器１２は、基地局又はコアネットワークである。ここで、上記基地局は、５Ｇ以降のバージョンの基地局（例えばｇＮＢ、５Ｇ  ＮＲ  ＮＢなど）、又は他の通信システムにおける基地局（例えばｅＮＢ、ＷＬＡＮアクセスポイント、又は他のアクセスポイントなど）である。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉノード、又は所属分野における他の何らかの適切な用語で呼ばれてもよい。同様の技術的効果を奏する限り、前記基地局は、特定の技術用語に限定されない。なお、本開示の一部実施例において、単にＮＲシステムにおける基地局を例として説明するが、基地局の具体的な種類を限定しない。
【００２１】
基地局は、基地局制御装置の制御下で端末１１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に伝送することができる。例えば、各通信リンクは、様々な無線技術に従って変調されたマルチキャリア信号である。各変調信号は、異なるキャリアで送信され、制御情報（例えば、参照信号、制御チャネルなど）、オーバーヘッド情報、データなどを搬送する。
【００２２】
基地局は、１つ又は複数のアクセスポイントアンテナを介して端末１１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２３】
無線通信システムにおける通信リンクは、アップリンクＵＬ（Ｕｐｌｉｎｋ）伝送（例えば、端末１１からネットワーク機器１２への伝送）を搬送するための上りリンク、又はダウンリンクＤＬ（Ｄｏｗｎｌｉｎｋ）伝送（例えば、ネットワーク機器１２から端末１１への伝送）を搬送するための下りリンクを含む。ＵＬ伝送は、逆方向リンク伝送とも呼ばれ、ＤＬ伝送は、順方向リンク伝送とも呼ばれる。
【００２４】
以上、無線通信システムを簡単に紹介した。無線通信システムにおけるセル再選択のピンポン問題を避けるために、本開示の一部実施例は、セル再選択方法を提供する。
【００２５】
図２に示すように、本開示の一部実施例は、端末に応用されるセル再選択方法を提供し、以下のステップを含む。
【００２６】
ステップ２１において、セル再選択に関する再選択情報であって、隣接セルのセルレベル再選択パラメータを含む再選択情報を取得する。
【００２７】
ここで、隣接セルは、適切な再選択セルのうちの１つであり、異なる隣接セルは、同じ又は異なる優先度に構成されてもよい。更に、異なる隣接セルが位置する周波数点は、同じ又は異なる優先度に設定されてもよい。ここで、適切な再選択セルとは、端末がキャンプオンして正常なサービスを取得することができるセルを意味する。端末は、有効なグローバルユーザー識別カードＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）を備える必要があり、且つ以下の条件を満たす。
該セルは、端末の目標公衆陸上モバイルネットワークＰＬＭＮ（Ｐｕｂｌｉｃ  Ｌａｎｄ  Ｍｏｂｉｌｅ  Ｎｅｔｗｏｒｋ）識別子のうちの１つに属する。目標ＰＬＭＮは、端末が選択したＰＬＭＮ（ｓｅｌｅｃｔｅｄ  ＰＬＭＮ）、端末が登録したＰＬＭＮ（Ｒｅｇｉｓｔｅｒｅｄ  ＰＬＭＮ）、及び端末の等価ＰＬＭＮリスト（Ｅｑｕｉｖａｌｅｎｔ  ＰＬＭＮ  ｌｉｓｔ）のうちの少なくとも１つを含む。
該セルは、所定のセル再選択規則を満たす。
該セルは、アタッチ又はアクセスが禁止されていない。
該セルがブロードキャストするトラッキングエリアＴＡ（Ｔｒａｃｋｉｎｇ  Ａｒｅａ）は、禁止されたＴＡエリアリスト（ｌｉｓｔ  ｏｆ「Ｆｏｒｂｉｄｄｅｎ  Ｔｒａｃｋｉｎｇ  Ａｒｅａｓ」）にはない。
【００２８】
更に、本開示の一部実施例に係る再選択情報は、端末が在圏するソースセルのネットワーク機器によって設定される。又は、再選択情報は、受信メッセージ履歴から取得される。ここで、再選択情報は、ネットワーク機器によって設定される場合、端末が在圏するソースセル（又はサービングセル、本セルと呼ばれる）によって設定される。例えば、再選択情報は、ソースセルが無線リソース制御ＲＲＣ（Ｒａｄｉｏ  Ｒｅｓｏｕｒｃｅ  Ｃｏｎｔｒｏｌ）シグナリングによって設定し、及び／又は、システムメッセージによってブロードキャストする。ここで、ＲＲＣシグナリングは、ＲＲＣリリース（ＲＲＣ  ｒｅｌｅａｓｅ）メッセージなどである。システムメッセージは、システム情報ブロックＳＩＢ（Ｓｙｓｔｅｍ  Ｉｎｆｏｒｍａｔｉｏｎ  Ｂｌｏｃｋ）２、ＳＩＢ４、又はＳＩＢ５などである。更に、本開示の一部実施例に係る再選択情報は、端末が受信メッセージ履歴から取得してもよい。ここでいう受信メッセージ履歴は、ＲＲＣシグナリング及び／又はシステムメッセージを含むが、これらに限定されない。
【００２９】
ステップ２２において、セルレベル再選択パラメータと、隣接セルへ再選択の再選択条件とに基づいて、セル再選択手順を実行する。
【００３０】
ここで、セル再選択手順を実行するとは、セルレベル再選択パラメータと、隣接セルへ再選択の再選択条件とに基づいて、ソースセルから、隣接セルの１つである目標セルへの再選択が可能か否かを端末が決定することをいう。ここで、ソースセルは、端末が初期にアクセスしたセルであってもよいし、端末が前回のセル再選択手順でアクセスしたセルであってもよい。ソースセルが前回のセル再選択手順で端末がアクセスしたセルである場合、ソースセルは、適切な再選択セルの諸条件を備える。ソースセルは、端末が初期にアクセスしたセルである場合、少なくとも以下の条件を満たす。
セルの信号品質は、所定の条件を満たす。信号品質は、基準信号受信電力ＲＳＲＰ（Ｒｅｆｅｒｅｎｃｅ  Ｓｉｇｎａｌ  Ｒｅｃｅｉｖｅｄ  Ｐｏｗｅｒ）及び／又は基準信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）を含む。
端末は、マスターシステム情報ブロックＭＩＢ（Ｍａｓｔｅｒ  Ｉｎｆｏｒｍａｔｉｏｎ  Ｂｌｏｃｋ）及び第１システム情報ブロックＳＩＢ１（Ｓｙｓｔｅｍ  Ｉｎｆｏｒｍａｔｉｏｎ  Ｂｌｏｃｋ１）などの該セルに必要なシステム情報を取得することができる。
該セルのシステム情報内のセルアクセス制限情報要素ｃｅｌｌｂａｒ  ＩＥ（ｃｅｌｌｂａｒ  Ｉｎｆｏｒｍａｔｉｏｎ  Ｅｌｅｍｅｎｔ）は、セルについてアタッチ又はアクセスが禁止されていないことを指示する。ここで、ｃｅｌｌｂａｒ  ＩＥは、アクセス制限状態（Ｂａｒｒｅｄ）又は非アクセス制限状態（ｎｏｔＢａｒｒｅｄ）である。
【００３１】
ここで、本開示の一部実施例に係るセルレベル再選択パラメータは、隣接セルの実際のネットワーク性能を表すことができるパラメータを指し、再選択情報には、隣接セルの周波数点レベル再選択パラメータも含まれてもよい。周波数点レベル再選択パラメータは、隣接セルが位置する周波数点のネットワーク性能を表すことができるパラメータを指す。
【００３２】
具体的には、セルレベル再選択情報は、最小受信信号レベル強度パラメータと、最小受信信号レベル強度オフセットパラメータと、最小信号品質値パラメータと、最小信号品質オフセットパラメータと、電力補償値パラメータと、測定バイアスパラメータと、第１目標オフセット量と、第２目標オフセット量と、受信信号レベル強度値に関する第１中間量と、信号品質値に関する第２中間量と、の少なくとも１つを含む。
ここで、第１目標オフセット量は、最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である。
第２目標オフセット量は、最小信号品質パラメータ、最小信号品質オフセットパラメータ、及び測定バイアスパラメータの少なくとも１つのパラメータのセルレベルパラメータ値と周波数点レベルパラメータ値との差の和である。
第１中間量は、最小受信信号レベル強度パラメータ、最小受信信号レベル強度オフセットパラメータ、電力補償パラメータ、及び測定バイアスパラメータの少なくとも１つのパラメータのセルレベルパラメータ値に関する。
第２中間量は、最小信号品質パラメータ、最小信号品質オフセットパラメータ、及び測定バイアスパラメータの少なくとも１つのパラメータのセルレベルパラメータ値に関する。
【００３３】
なお、再選択情報は、隣接セルの物理セル識別子ＰＣＩ（Ｐｈｙｓｉｃａｌ  Ｃｅｌｌ  Ｉｄｅｎｔｉｆｉｅｒ）を更に含んでもよく、ここで、ＰＣＩは、セルレベル再選択パラメータに対応する。ここでいうＰＣＩとセルレベル再選択パラメータの対応とは、１つのＰＣＩが１つのセルレベル再選択パラメータ群に対応することを指す。即ち、１つのセルレベル再選択パラメータ群は、同一の隣接セルに対応し、あわせて該隣接セルのネットワーク性能を表す。ここで、１つのセルレベル再選択パラメータ群は、上記で言及された様々なパラメータのうちの少なくとも１つを含む。
【００３４】
ここでいう最小受信信号レベル強度パラメータ、最小受信信号レベル強度オフセットパラメータ、最小信号品質パラメータ、最小信号品質オフセットパラメータ、電力補償パラメータ、及び測定バイアスパラメータは、いずれも隣接セルのセルレベルパラメータであり、即ち、隣接セルの実際のネットワーク性能を表すことができるパラメータである。
【００３５】
ここで、上記最小受信信号レベル強度パラメータは、隣接セルがブロードキャストする目標最小受信信号レベル強度値である。即ち、ソースセルが設定するセルレベル再選択パラメータは、隣接セルがブロードキャストしたシステムメッセージに担持されている該隣接セル自身の最小受信信号レベル強度値と同じであるパラメータを含み、即ちセル再選択のためのパラメータＱｒｘｌｅｖｍｉｎ＊は、隣接セルのシステムメッセージに担持されている該セル自身のパラメータＱｒｘｌｅｖｍｉｎである。又は、上記最小受信信号レベル強度パラメータは、隣接セルに対応する周波数点レベル最小受信信号レベル強度値と、目標最小受信信号レベル強度値と周波数点レベル最小受信信号レベル強度値との差である第１オフセット値とを更に含んでもよい。即ち、ソースセルが設定するセルレベル再選択パラメータは、隣接セルが属する周波数点の周波数点レベル最小受信信号レベル強度値（セル再選択のためのパラメータＱｒｘｌｅｖｍｉｎ）と、第１オフセット値（隣接セルのシステムメッセージに担持される該セル自身のパラメータＱｒｘｌｅｖｍｉｎとソースセルがブロードキャストするセル再選択のためのＱｒｘｌｅｖｍｉｎとのオフセット値）とを含む。
【００３６】
同様に、上記最小受信信号レベル強度オフセットパラメータは、隣接セルがブロードキャストする目標最小受信信号レベル強度オフセット値である。即ち、ソースセルが設定するセルレベル再選択パラメータは、隣接セルがブロードキャストしたシステムメッセージに担持されている該隣接セル自身の最小受信信号レベル強度オフセット値と同じであるパラメータを含み、即ち、セル再選択のためのパラメータＱｒｘｌｅｖｍｉｎｏｆｆｓｅｔ＊は、隣接セルのシステムメッセージに担持されている該セル自身のパラメータＱｒｘｌｅｖｍｉｎｏｆｆｓｅｔである。又は、最小受信信号レベル強度オフセットパラメータは、隣接セルに対応する周波数点レベル最小受信信号レベル強度オフセット値と、目標最小受信信号レベル強度オフセット値と周波数点レベル最小受信信号レベル強度オフセット値との差である第２オフセット値を含む。即ち、ソースセルが設定するセルレベル再選択パラメータは、隣接セルが属する周波数点の周波数点レベル最小受信信号レベル強度オフセット値（セル再選択のためのパラメータＱｒｘｌｅｖｍｉｎｏｆｆｓｅｔ）と、第２オフセット値（隣接セルのシステムメッセージに担持される該セル自身のパラメータＱｒｘｌｅｖｍｉｎｏｆｆｓｅｔとソースセルがブロードキャストするセル再選択のためのＱｒｘｌｅｖｍｉｎｏｆｆｓｅｔとのオフセット値）とを含む。
【００３７】
同様に、最小信号品質パラメータは、隣接セルがブロードキャストする目標最小信号品質値である。即ち、ソースセルが設定するセルレベル再選択パラメータは、隣接セルがブロードキャストしたシステムメッセージに担持される該隣接セル自身の最小信号品質値と同じであるパラメータを含み、即ち、セル再選択のためのパラメータＱｑｕａｌｍｉｎ＊は、隣接セルのシステムメッセージに担持された該セル自身のパラメータＱｑｕａｌｍｉｎである。又は、最小信号品質パラメータは、隣接セルに対応する周波数点レベル最小信号品質値と、目標最小信号品質値と周波数点レベル最小信号品質値との差である第３オフセット値とを含む。即ち、ソースセルが設定するセルレベル再選択パラメータは、隣接セルが属する周波数点の周波数点レベル最小信号品質値（セル再選択のためのパラメータＱｑｕａｌｍｉｎ）及び第３オフセット値（隣接セルのシステムメッセージに担持される該セル自身のパラメータＱｑｕａｌｍｉｎとソースセルがブロードキャストするセル再選択のためのＱｑｕａｌｍｉｎとのオフセット値）を含む。
【００３８】
同様に、最小信号品質パラメータは、隣接セルがブロードキャストする目標最小信号品質オフセット値である。即ち、ソースセルが設定するセルレベル再選択パラメータは、隣接セルがブロードキャストしたシステムメッセージに担持される該隣接セル自身の最小信号品質オフセット値と同じであるパラメータを含み、即ち、セル再選択のためのパラメータＱｑｕａｌｍｉｎｏｆｆｓｅｔ＊は、隣接セルのシステムメッセージに担持される該セル自身のパラメータＱｑｕａｌｍｉｎｏｆｆｓｅｔである。又は、最小信号品質オフセットパラメータは、隣接セルに対応する周波数点レベル最小信号品質オフセット値と、目標最小信号品質オフセット値と周波数点レベル最小信号品質オフセット値との差である第４オフセット値とを含む。即ち、ソースセルが設定するセルレベル再選択パラメータは、隣接セルが属する周波数点の周波数点レベル最小信号品質オフセット値（セル再選択のためのパラメータＱｑｕａｌｍｉｎｏｆｆｓｅｔ）及び第４オフセット値（隣接セルのシステムメッセージに担持される該セル自身のパラメータＱｑｕａｌｍｉｎｏｆｆｓｅｔとソースセルがブロードキャストするセル再選択のためのＱｑｕａｌｍｉｎｏｆｆｓｅｔとのオフセット値）を含む。
【００３９】
更に、測定バイアスパラメータは、連続故障オフセットパラメータ（ｃｏｎｎＥｓｔＦａｉｌＯｆｆｓｅｔ）及び／又はセル仮オフセットパラメータ（Ｑｏｆｆｓｅｔｔｅｍｐ）を含む。測定バイアスパラメータは、隣接セルがブロードキャストするセル測定バイアス値である。即ち、ソースセルが設定するセルレベル再選択パラメータは、隣接セルがブロードキャストしたシステムメッセージに担持される該隣接セル自身の測定バイアスと同じであるパラメータを含み、例えば、セル再選択のためのパラメータｃｏｎｎＥｓｔＦａｉｌＯｆｆｓｅｔ＊又はＱｏｆｆｓｅｔｔｅｍｐ＊は、隣接セルのシステムメッセージに担持される該セル自身のパラメータｃｏｎｎＥｓｔＦａｉｌＯｆｆｓｅｔ又はＱｏｆｆｓｅｔｔｅｍｐである。又は、測定バイアスパラメータは、隣接セルに対応する周波数点レベル測定バイアス値と、目標測定バイアス値と周波数点レベル測定バイアス値とのオフセット値である第５オフセット値とを含む。即ち、ソースセルが設定するセルレベル再選択パラメータは、隣接セルが属する周波数点の周波数点レベル測定バイアス（例えば、セル再選択のためのパラメータｃｏｎｎＥｓｔＦａｉｌＯｆｆｓｅｔ又はＱｏｆｆｓｅｔｔｅｍｐ）及び第５オフセット値（例えば、隣接セルのシステムメッセージに担持される該セル自身のｃｏｎｎＥｓｔＦａｉｌＯｆｆｓｅｔ又はＱｏｆｆｓｅｔｔｅｍｐとソースセルがブロードキャストするセル再選択のためのｃｏｎｎＥｓｔＦａｉｌＯｆｆｓｅｔ又はＱｏｆｆｓｅｔｔｅｍｐとのオフセット値）を含む。
【００４０】
更に、上記電力補償パラメータは、最大電力パラメータＰＭａｘとパワークラスパラメータＰＰｏｗｅｒＣｌａｓｓとから決定される。ここで、最大電力パラメータは、隣接セルに対応する目標最大電力値である。即ち、ソースセルが設定するセルレベル再選択パラメータは、隣接セルがブロードキャストしたシステムメッセージに担持される該隣接セル自身の最大電力値と同じであるパラメータを含み、即ち、セル選択のためのパラメータＰＭａｘ＊は、隣接セルのシステムメッセージに担持される該セル自身のパラメータＰＭａｘである。又は、最大電力パラメータは、隣接セルが属する周波数点に対応する周波数点レベル最大電力値と、目標最大電力値と周波数点レベル最大電力値との差である第６オフセット値とを含む。即ち、ソースセルが設定するセルレベル再選択パラメータは、隣接セルが属する周波数点の周波数点レベル最大電力値（セル再選択のためのパラメータＰＭａｘ）及び第６オフセット値（隣接セルのシステムメッセージに担持される該セル自身のパラメータＰＭａｘとソースセルがブロードキャストするセル再選択のためのパラメータＰＭａｘとのオフセット値）を含む。
【００４１】
以上、最小受信信号レベル強度パラメータ、最小受信信号レベル強度オフセットパラメータ、最小信号品質パラメータ、最小信号品質オフセットパラメータ、電力補償パラメータ、測定バイアスパラメータ等のパラメータについて簡単に紹介したが、以下、本実施例では、更に、これらのパラメータに基づいてどのようにセル再選択を行うかを説明する。
【００４２】
具体的には、ステップ２２は、以下を含む。
Ａ１．測定された受信信号レベル強度値と、再選択パラメータのうちの最小受信信号レベル強度パラメータ、最小受信信号レベル強度オフセットパラメータ、電力補償パラメータ及び測定バイアスパラメータのうちの少なくとも１つとに基づいて、隣接セルのセル選択受信信号レベル強度値Ｓｒｘｌｅｖを算出する。ここでいう最小受信信号レベル強度パラメータ、最小受信信号レベル強度オフセットパラメータ、電力補償パラメータ及び測定バイアスパラメータは、隣接セルのセルレベルパラメータを指し、隣接セルのネットワーク性能を表すことができる。例えば、端末は、以下の式から、セル選択受信信号レベル強度値Ｓｒｘｌｅｖを算出する。
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）−Ｐｃｏｍｐｅｎｓａｔｉｏｎ−Ｑｏｆｆｓｅｔｔｅｍｐ
ここで、Ｓｒｘｌｅｖは、隣接セルのセル選択受信信号レベル強度値を示し、Ｑｒｘｌｅｖｍｅａｓは、隣接セルの実測受信信号レベル強度値を示し、Ｑｒｘｌｅｖｍｉｎは、隣接セルの実際の最小受信信号レベル強度パラメータの値を示し、Ｑｒｘｌｅｖｍｉｎｏｆｆｓｅｔは、隣接セルの実際の最小受信信号レベル強度オフセットパラメータの値を示し、Ｐｃｏｍｐｅｎｓａｔｉｏｎは、隣接セルの実際の電力補償パラメータの値を示し、Ｑｏｆｆｓｅｔｔｅｍｐは、隣接セルの実際の測定バイアスパラメータの値を示す。
なお、上記式は、最小受信信号レベル強度パラメータ、最小受信信号レベル強度オフセットパラメータ、電力補償パラメータ及び測定バイアスパラメータの全てが存在する計算シナリオに使用されるが、これらのパラメータのいくつかがデフォルトである場合、式中の対応するパラメータは、予め定められた特定の値を取る。
Ｂ１．測定された受信信号品質値と、再選択パラメータのうちの最小信号品質パラメータ、最小信号品質オフセットパラメータ及び測定バイアスパラメータのうちの少なくとも１つとに基づいて、隣接セルのセル選択信号品質値を算出する。ここでいう最小信号品質パラメータ、最小信号品質オフセットパラメータ及び測定バイアスパラメータは、隣接セルのセルレベルパラメータを指し、隣接セルのネットワーク性能を表すことができる。例えば、端末は、以下の式から、セル選択受信信号品質値Ｓｑｕａｌを算出する。
Ｓｑｕａｌ＝Ｑｑｕａｌｍｅａｓ−（Ｑｑｕａｌｍｉｎ＋Ｑｑｕａｌｍｉｎｏｆｆｓｅｔ）−Ｑｏｆｆｓｅｔｔｅｍｐ
ここで、Ｓｑｕａｌは、隣接セルのセル選択信号品質値を示し、Ｑｑｕａｌｍｅａｓは、隣接セルの実測信号品質値を示し、Ｑｑｕａｌｍｉｎは、隣接セルの実際の最小信号品質パラメータの値を示し、Ｑｑｕａｌｍｉｎｏｆｆｓｅｔは、隣接セルの実際の最小信号品質オフセットパラメータの値を示し、Ｑｏｆｆｓｅｔｔｅｍｐは、隣接セルの実際の測定バイアスパラメータの値を示す。
なお、上記式は、最小信号品質パラメータ、最小信号品質オフセットパラメータ及び測定バイアスパラメータの全てが存在する計算シナリオに使用されるが、これらのパラメータのいくつかがデフォルトである場合、式中の対応するパラメータは、予め定められた特定の値を取る。
Ｃ１．セル選択受信信号レベル強度値、セル選択信号品質値及び隣接セルへ再選択の再選択条件に基づいて、セル再選択手順を実行する。
【００４３】
また、本開示の一部実施例に係るセルレベル再選択パラメータは、第１目標オフセット量と第２目標オフセット量を更に含んでもよい。ここで、第１目標オフセット量は、最小受信信号レベル強度パラメータ、最小受信信号レベル強度オフセットパラメータ、電力補償パラメータ及び測定バイアスパラメータの少なくとも１つのパラメータのセルレベルパラメータ値と周波数点レベルパラメータ値との差の和である。第２目標オフセット量は、最小信号品質パラメータ、最小信号品質オフセットパラメータ及び測定バイアスパラメータの少なくとも１つのパラメータのセルレベルパラメータ値と周波数点レベルパラメータ値との差の和である。
【００４４】
一部の実施例において、端末は、第１目標オフセット量と第２目標オフセット量に基づいてセル再選択を行う。具体的には、ステップ２２は、以下を更に含む。
Ａ２．測定された受信信号レベル強度値、第１目標パラメータ値及び第１目標オフセット量に基づいて、隣接セルのセル選択受信信号レベル強度値を算出する。ここで、第１目標パラメータ値は、最小受信信号レベル強度パラメータ、最小受信信号レベル強度オフセットパラメータ、電力補償パラメータ及び測定バイアスパラメータの少なくとも１つのパラメータの周波数点レベルパラメータ値である。例えば、端末は、以下の式から、セル選択受信信号レベル強度値Ｓｒｘｌｅｖを算出する。
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）−Ｐｃｏｍｐｅｎｓａｔｉｏｎ−Ｑｏｆｆｓｅｔｔｅｍｐ−ｏｆｆｓｅｔ１
ここで、Ｓｒｘｌｅｖは、隣接セルのセル選択受信信号レベル強度値を示し、Ｑｒｘｌｅｖｍｅａｓは、隣接セルの実測受信信号レベル強度パラメータの値を示し、Ｑｒｘｌｅｖｍｉｎは、隣接セルが位置する周波数点の最小受信信号レベル強度パラメータの値を示し、Ｑｒｘｌｅｖｍｉｎｏｆｆｓｅｔは、隣接セルが位置する周波数点の最小受信信号レベル強度オフセットパラメータの値を示し、Ｐｃｏｍｐｅｎｓａｔｉｏｎは、隣接セルが位置する周波数点の電力補償パラメータの値を示し、Ｑｏｆｆｓｅｔｔｅｍｐは、隣接セルが位置する周波数点の測定バイアスパラメータの値をし、ｏｆｆｓｅｔ１は、第１目標パラメータ値を示す。
なお、ｏｆｆｓｅｔ１は、最小受信信号レベル強度パラメータ、最小受信信号レベル強度オフセットパラメータ、電力補償パラメータ及び測定バイアスパラメータの少なくとも１つのパラメータのセルレベル値と周波数点レベル値との差の和である。上記式のパラメータのいくつかがデフォルトである場合、特定の値を取る。
Ｂ２．測定された受信信号品質値、第２目標パラメータ値及び第２目標オフセット量に基づいて、隣接セルのセル選択信号品質値を算出する。ここで、第２目標パラメータ値は、最小信号品質パラメータ、最小信号品質オフセットパラメータ及び測定バイアスパラメータの少なくとも１つのパラメータの周波数点レベルパラメータ値である。例えば、端末は、以下の式から、セル選択受信信号品質値をＳｑｕａｌ算出する。
Ｓｑｕａｌ＝Ｑｑｕａｌｍｅａｓ−（Ｑｑｕａｌｍｉｎ＋Ｑｑｕａｌｍｉｎｏｆｆｓｅｔ）−Ｑｏｆｆｓｅｔｔｅｍｐ−ｏｆｆｓｅｔ２
ここで、Ｓｑｕａｌは、隣接セルのセル選択信号品質値を示し、Ｑｑｕａｌｍｅａｓは、隣接セルの実測信号品質パラメータの値を示し、Ｑｑｕａｌｍｉｎは、隣接セルが位置する周波数点の最小信号品質パラメータの値を示し、Ｑｑｕａｌｍｉｎｏｆｆｓｅｔは、隣接セルが位置する周波数点の最小信号品質オフセットパラメータの値を示し、Ｑｏｆｆｓｅｔｔｅｍｐは、隣接セルが位置する周波数点の測定バイアスパラメータの値を示し、ｏｆｆｓｅｔ２は、第２目標パラメータ値を示す。
なお、ｏｆｆｓｅｔ２は、最小信号品質パラメータ、最小信号品質オフセットパラメータ及び測定バイアスパラメータの少なくとも１つのパラメータのセルレベル値と周波数点レベル値との差の和である。上記式のパラメータのいくつかがデフォルトである場合、特定の値を取る。
Ｃ２．セル選択受信信号レベル強度値と、セル選択信号品質値と、隣接セルへ再選択の再選択条件とに基づいて、セル再選択手順を実行する。
【００４５】
また、本開示の一部実施例に係るセルレベル再選択パラメータは、第１中間量と第２中間量を更に含んでもよい。ここで、第１中間量は、最小受信信号レベル強度パラメータ、最小受信信号レベル強度オフセットパラメータ、電力補償パラメータ及び測定バイアスパラメータの少なくとも１つのパラメータのセルレベルパラメータ値に関する。第２中間量は、最小信号品質パラメータ、最小信号品質オフセットパラメータ及び測定バイアスパラメータの少なくとも１つのパラメータのセルレベルパラメータ値に関する。
【００４６】
一部の実施例において、端末は、第１中間量と第２中間量に基づいてセル再選択を行う。具体的には、ステップ２２は、以下の更に含む。
Ａ３．測定された受信信号レベル強度値及び第１中間量に基づいて、隣接セルのセル選択受信信号レベル強度値を算出する。例えば、端末は、下記の式から、セル選択受信信号レベル強度値Ｓｒｘｌｅｖを算出する。
Ｓｒｘｌｅｖ＝Ｑｒｘｌｅｖｍｅａｓ−ｏｆｆｓｅｔ３
ここで、Ｓｒｘｌｅｖは、隣接セルのセル選択受信信号レベル強度値を示し、Ｑｒｘｌｅｖｍｅａｓは、隣接セルの実測受信信号レベル強度値を示し、ｏｆｆｓｅｔ３は、隣接セルのシステムメッセージに担持される該セル自身のパラメータ値から算出された（Ｑｒｘｌｅｖｍｉｎ＋Ｑｒｘｌｅｖｍｉｎｏｆｆｓｅｔ）−Ｐｃｏｍｐｅｎｓａｔｉｏｎ−Ｑｏｆｆｓｅｔｔｅｍｐの結果を示す。
Ｂ３．測定された受信信号品質値及び第２中間量に基づいて、隣接セルのセル選択信号品質値を算出する。例えば、端末は、下記の式から、セル選択受信信号品質値Ｓｑｕａｌを算出する。
Ｓｑｕａｌ＝Ｑｑｕａｌｍｅａｓ−ｏｆｆｓｅｔ４
ここで、Ｓｑｕａｌは、隣接セルのセル選択信号品質値を示し、Ｑｑｕａｌｍｅａｓは、隣接セルの実測信号品質値を示し、ｏｆｆｓｅｔ４は、隣接セルのシステムメッセージに担持された該セル自身のパラメータ値から算出された（Ｑｑｕａｌｍｉｎ＋Ｑｑｕａｌｍｉｎｏｆｆｓｅｔ）−Ｑｏｆｆｓｅｔｔｅｍｐの結果を示す。
Ｃ３．セル選択受信信号レベル強度値と、セル選択信号品質値と、隣接セルへ再選択の再選択条件とに基づいて、セル再選択手順を実行する。
【００４７】
更に、セル再選択手順は、端末が隣接セルの優先度とソースセルの優先度を比較して優先度比較結果を得ることと、優先度比較結果に基づいて、隣接セルへ再選択の目標再選択条件を決定することと、目標再選択条件を満たした場合、ソースセルから、隣接セルの１つである目標セルへ再選択することと、目標再選択条件を満たさない場合、セル再選択を行わないこととを含む。端末は、高優先度セル、低優先度セル又は同優先度セルへの再選択が可能である。ここで、高優先度セル（又は高優先度周波数点という）、同優先度セル（又は同優先度周波数点という）及び低優先度セル（低優先度周波数点という）は、隣接セルとソースセルの優先度比較結果であり、即ち、端末がネットワーク機器側から受信した隣接セル優先度を演算してソースセルの優先度と比較して得られる。隣接セルは、目標優先度がソースセルの優先度よりも高くなると、高優先度セルである。隣接セルは、目標優先度がソースセルの優先度よりも低くなると、低優先度セルである。隣接セルは、目標優先度がソースセルの優先度と同じであると、同優先度セルである。例えば、端末のソースセルは、ＬＴＥセルであり、且つＮＲセルの優先度を受信する。端末のソースセルは、ＮＲセルであり、且つＬＴＥセルの優先度を受信する。又は、端末は、ＮＲセルの優先度とＬＴＥセルの優先度を同時に受信する。端末のソースセルと受信した隣接セルの優先度を比較し、隣接セルが高優先度セル、同優先度セル又は低優先度セルであるかを決定する。
【００４８】
以下、異なるシナリオにおけるセル再選択を更に説明する。
【００４９】
シナリオ１：隣接セルの優先度がソースセルの優先度と同じであり、又は、隣接セルとソースセルとは、周波数点が同じである。
このシナリオでは、ステップＣ１、Ｃ２及びＣ３は、以下のようにして実現される。
Ｄ１．隣接セルの優先度がソースセルの優先度と同じであるか、又は隣接セルとソースセルが同じ周波数点にある場合、セル選択受信信号レベル強度値及びセル選択信号品質値が共に０よりも大きければ、ソースセルと隣接セルをランク付けする。即ち、Ｓ規則が満たされる場合、即ち、Ｓｒｘｌｅｖ＞０且つＳｑｕａｌ＞０の場合、ソースセルと隣接セルをＲ規則でランク付けする。
ここで、以下の式によって、ソースセル及び隣接セルをランク付けする。
ソースセルのランクＲｓ＝Ｑｍｅａｓ，ｓ＋ＱＨｙｓｔ−Ｑｏｆｆｓｅｔｔｅｍｐ
隣接セルのランクＲｎ＝Ｑｍｅａｓ，ｎ＋Ｑｏｆｆｓｅｔ−Ｑｏｆｆｓｅｔｔｅｍｐ
ここで、Ｑｍｅａｓ，ｓは、ソースセルの基準信号受信電力ＲＳＲＰ測定値であり、ＱＨｙｓｔは、ソースセルの測定遅延であり、Ｑｏｆｆｓｅｔｔｅｍｐは、ソースセルの測定バイアスであり、Ｑｍｅａｓ，ｎは、隣接セルのＲＳＲＰ測定値であり、Ｑｏｆｆｓｅｔは、隣接セルの第１測定バイアスであり、Ｑｏｆｆｓｅｔｔｅｍｐは、隣接セルの第２測定バイアスである。
Ｄ２１．ソースセルからランク付け閾値が提供されない場合、ソースセルから、隣接セルのうち最もランクの高いセルへ再選択する。ここで、ランク付け閾値は、ｒａｎｇｅＴｏＢｅｓｔＣｅｌｌパラメータである。ネットワーク機器（ソースセル）がｒａｎｇｅＴｏＢｅｓｔＣｅｌｌパラメータを設定しておらず、且つ再選択の基本条件を満たす場合、端末は、ランク付け結果が最良であるセルへのセル再選択プロセスを開始する。
又は、Ｄ２２．ソースセルからランク付け閾値が提供される場合、ソースセルから、第１セルのうち、品質が閾値よりも高くビーム数が最も多いセルへ再選択する。ここで、第１セルは、隣接セルのうち、最もランクの高いセルとのランク差がランク付け閾値よりも小さいセルである。ソースセルがｒａｎｇｅＴｏＢｅｓｔＣｅｌｌパラメータを設定し、且つ再選択の基本条件を満たす場合、端末は、全ての隣接セルのうち、最も高いランクのセルとのランク間の差がｒａｎｇｅＴｏＢｅｓｔＣｅｌｌを超えないセルのうち、閾値を超えるビームの数が最も多いセルを選択し、セル再選択手順を開始する。
【００５０】
ここで、上記再選択基本条件は、再選択時間間隔ＴｒｅｓｅｌｅｃｔｉｏｎＲＡＴ内に隣接セルのランクが全てソースセルよりも優れていることと、且つ端末が現在のソースセルにキャンプオンする時間が所定の閾値、例えば１ｓを超えることを含むが、これに限定されない。
【００５１】
なお、同優先度の隣接セル及びソースセルは、非同一周波数セル、同一システムセル又は非同一システムセルであってよく、本開示の一部実施例では、これについて具体的に限定しない。
【００５２】
ここで、セル再選択手順は、上記のソースセルと隣接セルとが同優先度である再選択シナリオに加えて、以下のシナリオを更に含む。
シナリオ２．隣接セルの優先度がソースセルの優先度よりも低い。
隣接セルの優先度がソースセルの優先度よりも低い場合、ソースセルの第１パラメータが第１所定閾値よりも低く、且つ隣接セルの第２パラメータが第２所定閾値を超える場合、ソースセルから隣接セルへ再選択する。
具体的に、このシナリオでは、ソースセルからソースセルのＳｑｕａｌに対応するＴｈｒｅｓｈＳｅｒｖｉｎｇ，ＬｏｗＱを提供する場合、再選択時間帯ＴｒｅｓｅｌｅｃｔｉｏｎＲＡＴ内にソースセルのＳｑｕａｌ＜ＴｈｒｅｓｈＳｅｒｖｉｎｇ，ＬｏｗＱ、且つ、隣接セルのＳｑｕａｌ＞ＴｈｒｅｓｈＸ，ＬｏｗＱ又は隣接セルのＳｒｘｌｅｖ＞ＴｈｒｅｓｈＸ，ＬｏｗＰであれば、ソースセルから該隣接セルへ再選択する。即ち、ｔｈｒｅｓｈＳｅｒｖｉｎｇ、ＬｏｗＱパラメータがシステムにおいてブロードキャストされ、且つ端末がソースセルに１秒を超えてキャンプオンした場合、時間間隔ＴｒｅｓｅｌｅｃｔｉｏｎＲＡＴ内にサービングセルのＳｑｕａｌ＜ＴｈｒｅｓｈＳｅｒｖｉｎｇ，ＬｏｗＱが満たされ、低優先度ＮＲ／ＬＴＥ周波数点上のセルのＳｑｕａｌ＞ＴｈｒｅｓｈＸ，ＬｏｗＱであれば、端末は、低優先度周波数点上のその隣接セルへの再選択を開始する。
又は、ソースセルからソースセルのＴｈｒｅｓｈＳｅｒｖｉｎｇ，ＬｏｗＱが提供されない場合、再選択時間帯ＴｒｅｓｅｌｅｃｔｉｏｎＲＡＴ内にソースセルのＳｒｘｌｅｖ＜ＴｈｒｅｓｈＳｅｒｖｉｎｇ，ＬｏｗＰ、且つ、隣接セルのＳｒｘｌｅｖ＞ＴｈｒｅｓｈＸ，ＬｏｗＰであれば、ソースセルから隣接セルへ再選択する。即ち、システムがｔｈｒｅｓｈＳｅｒｖｉｎｇ、ＬｏｗＱパラメータをブロードキャストしないが、端末がソースセルに１秒を超えてキャンプオンし、且つ時間間隔ＴｒｅｓｅｌｅｃｔｉｏｎＲＡＴ内にサービングセルのＳｒｘｌｅｖ＜ＴｈｒｅｓｈＳｅｒｖｉｎｇ，ＬｏｗＰを満たし、低優先度ＮＲ／ＬＴＥ周波数点上のセルのＳｒｘｌｅｖ＞ＴｈｒｅｓｈＸ，ＬｏｗＰであれば、端末は、低優先度周波数点上のその隣接セルへの再選択を開始する。
ここで、上記パラメータの定義は、以下の説明を参照する。Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、ソースセルのＳｑｕａｌ閾値であり、ＴｈｒｅｓｈＳｅｒｖｉｎｇ，ＬｏｗＰは、ソースセルのＳｒｘｌｅｖ閾値であり、ＴｈｒｅｓｈＸ，ＬｏｗＱは、隣接セルのＳｑｕａｌ閾値であり、ＴｈｒｅｓｈＸ，ＬｏｗＰは、隣接セルのＳｒｘｌｅｖ閾値である。
【００５３】
シナリオ３．隣接セルの優先度がソースセルの優先度よりも高い。
目標優先度がソースセルの優先度よりも高い場合、隣接セルの第２パラメータが第２所定閾値を超えると、ソースセルから隣接セルへ再選択する。
このシナリオでは、ソースセルからソースセルのＳｑｕａｌに対応するＴｈｒｅｓｈＳｅｒｖｉｎｇ，ＬｏｗＱを提供する場合、再選択時間帯ＴｒｅｓｅｌｅｃｔｉｏｎＲＡＴ内に隣接セルのＳｑｕａｌ＞ＴｈｒｅｓｈＸ，ＨｉｇｈＱであれば、ソースセルから隣接セルへ再選択する。即ち、システムにおいてｔｈｒｅｓｈＳｅｒｖｉｎｇ，ＬｏｗＱパラメータがブロードキャストされ、且つ端末が現在のソースセルに１秒を超えてキャンプオンした場合、高優先度ＮＲ／ＬＴＥ周波数点におけるセルが時間間隔ＴｒｅｓｅｌｅｃｔｉｏｎＲＡＴ内の信号品質Ｓｑｕａｌ＞ＴｈｒｅｓｈＸ，ＨｉｇｈＱを満たすと、端末は、高優先度周波数点におけるその隣接セルへの再選択を開始する。
又は、ソースセルからソースセルのＴｈｒｅｓｈＳｅｒｖｉｎｇ，ＬｏｗＱが提供されない場合、再選択時間帯ＴｒｅｓｅｌｅｃｔｉｏｎＲＡＴ内に隣接セルのＳｒｘｌｅｖ＞ＴｈｒｅｓｈＸ，ＨｉｇｈＰであれば、ソースセルから隣接セルへ再選択する。即ち、システムがｔｈｒｅｓｈＳｅｒｖｉｎｇ，ＬｏｗＱパラメータをブロードキャストしないが、端末がソースセルに１秒を超えてキャンプオンし、且つ高優先度周波数点上のセルが、時間間隔再選択期間体ＴｒｅｓｅｌｅｃｔｉｏｎＲＡＴ内にＳｒｘｌｅｖ＞ＴｈｒｅｓｈＸ，ＨｉｇｈＰを満たすと、端末は、高優先度周波数点上のその隣接セルへの再選択を開始する。
ここで、上記パラメータは、以下の解釈を参照する。Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、ソースセルのＳｑｕａｌ閾値であり、ＴｈｒｅｓｈＸ，ＨｉｇｈＱは、隣接セルのＳｑｕａｌ閾値であり、ＴｈｒｅｓｈＸ，ＨｉｇｈＰは、隣接セルのＳｒｘｌｅｖ閾値である。
【００５４】
ここで、再選択情報は、隣接セルの優先度を示す優先度情報を更に含む。ここで、優先度情報は、基本優先度情報を含む。ＬＴＥセル及びＮＲセルに対応する周波数点優先度上限が異なる場合を例にとると、基本優先度情報は、ＬＴＥセルに対応する周波数点優先度が０〜７の１つの整数であることを指示し、又はＮＲセルに対応する周波数点優先度が０〜９の１つ整数であることを指示する。また、優先度情報は、基本優先度情報と、基本優先度よりも小さい値の粒度を有する副優先度情報とを含んでもよい。ＬＴＥセルとＮＲセルに対応する周波数点優先度上限が同じである場合を例にとると、基本優先度情報は、ＬＴＥセル又はＮＲセルに対応する周波数点優先度が０〜７の１つの整数であることを指示する。更に、副優先度情報は、値の粒度が基本優先度（値の粒度が１である）よりも小さい１段階の副優先度情報を含む。例えば、副優先度情報は、ＮＲセルに対応する値の粒度が０．１の副優先度｛０．２，０．４，０．６，０．８｝又は｛０．１，０．２，０．３，０．４，０．５，０．６，０．７，０．８，０．９｝のいずれかを指示する。又は、副優先度情報は、少なくとも２段階の値の粒度が異なる副優先度情報を更に含んでもよい。例えば、副優先度情報は、ＮＲセルに対応する値の粒度が０．１の副優先度｛０．２，０．４，０．６，０．８｝又は｛０．１，０．２，０．３，０．４，０．５，０．６，０．７，０．８，０．９｝のいずれか、及び、値の粒度が０．０１の副優先度｛０．０１，０．０２，０．０３，０．０４，０．０５，０．０６，０．０７，０．０８，０．０９｝のいずれかを指示する。なお、本開示の一部実施例において、値の粒度１、０．１、及び０．０１は、単に例示的なものとして示されており、他の小数範囲の値の粒度も、本開示の一部実施例に適用されてもよく、且つ値の粒度の具体的な小数範囲は、プロトコルで取り決められるか、ネットワーク機器によって設定されるか、又は、ネットワーク機器と端末との交渉によって決定される。
【００５５】
本開示の一部実施例に係るセル再選択方法は、端末が隣接セルのセルレベル再選択パラメータを取得し、セルレベル再選択パラメータに基づいてセル再選択を行うことで、再選択後のセルの品質がキャンプオン要件を満たすことを保証し、セル再選択の後に端末の接続が安定しない問題が避けられる。
【００５６】
以上の実施例は、異なるシナリオにおけるセル再選択方法をそれぞれ詳細に紹介したが、以下、本実施例は、それに対応する端末について図面を参照しながら更に紹介する。
【００５７】
図３に示すように、本開示の一部実施例に係る端末３００は、上記実施例における、セル再選択に関する再選択情報であって、隣接セルのセルレベル再選択パラメータを含む再選択情報を取得し、セルレベル再選択パラメータと、隣接セルへ再選択の再選択条件とに基づいて、セル再選択手順を実行する方法のディテールを実現し、同じ効果を奏することができる。
該端末３００は、具体的に、
セル再選択に関する再選択情報であって、隣接セルのセルレベル再選択パラメータを含む再選択情報を取得する取得モジュール３１０と、
セルレベル再選択パラメータと、隣接セルへ再選択の再選択条件とに基づいて、セル再選択手順を実行する再選択モジュール３２０とを含む。
【００５８】
ここで、再選択情報は、端末が在圏するソースセルのネットワーク機器によって設定される。又は、再選択情報は、受信メッセージ履歴から取得される。
【００５９】
ここで、セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、最小信号品質オフセットパラメータ、及び測定バイアスパラメータの少なくとも１つのパラメータのセルレベルパラメータ値と周波数点レベルパラメータ値との差の和である第２目標オフセット量、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む。
【００６０】
ここで、最小受信信号レベル強度パラメータは、隣接セルがブロードキャストする目標最小受信信号レベル強度値である。又は、最小受信信号レベル強度パラメータは、隣接セルに対応する周波数点レベル最小受信信号レベル強度値と、目標最小受信信号レベル強度値と周波数点レベル最小受信信号レベル強度値との差である第１オフセット値とを含む。
【００６１】
ここで、最小受信信号レベル強度オフセットパラメータは、隣接セルがブロードキャストする目標最小受信信号レベル強度オフセット値である。又は、最小受信信号レベル強度オフセットパラメータは、隣接セルに対応する周波数点レベル最小受信信号レベル強度オフセット値と、目標最小受信信号レベル強度オフセット値と周波数点レベル最小受信信号レベル強度オフセット値との差である第２オフセット値とを含む。
【００６２】
ここで、最小信号品質パラメータは、隣接セルがブロードキャストする目標最小信号品質値である。又は、最小信号品質パラメータは、隣接セルに対応する周波数点レベル最小信号品質値と、目標最小信号品質値と周波数点レベル最小信号品質値との差である第３オフセット値とを含む。
【００６３】
ここで、最小信号品質オフセットパラメータは、隣接セルがブロードキャストする目標最小信号品質オフセット値である。又は、最小信号品質オフセットパラメータは、隣接セルに対応する周波数点レベル最小信号品質オフセット値と、目標最小信号品質オフセット値と周波数点レベル最小信号品質オフセット値との差である第４オフセット値とを含む。
【００６４】
ここで、測定バイアスパラメータは、隣接セルがブロードキャストする目標測定バイアス値である。又は、測定バイアスパラメータは、隣接セルに対応する周波数点レベルの測定バイアス値と、目標測定バイアス値と周波数点レベルの測定バイアス値とのオフセット値である第５オフセット値とを含む。
【００６５】
ここで、測定バイアスパラメータは、連続障害オフセットパラメータ及び／又はセル仮オフセットパラメータを含む。
【００６６】
ここで、電力補償パラメータは、最大電力パラメータ及び電力ランクパラメータに基づいて決定される。
【００６７】
ここで、最大電力パラメータは、隣接セルに対応する目標最大電力値である。又は、最大電力パラメータは、隣接セルに対応する周波数点レベルの最大電力値と、目標最大電力値と周波数点レベルの最大電力値との差である第６オフセット値とを含む。
【００６８】
ここで、再選択モジュール３２０は、
測定された受信信号レベル強度値と、再選択パラメータのうちの最小受信信号レベル強度パラメータ、最小受信信号レベル強度オフセットパラメータ、電力補償パラメータ及び測定バイアスパラメータのうちの少なくとも１つとに基づいて、隣接セルのセル選択受信信号レベル強度値を算出する第１算出サブモジュールと、
測定された受信信号品質値と、再選択パラメータのうちの最小信号品質パラメータ、最小信号品質オフセットパラメータ及び測定バイアスパラメータのうちの少なくとも１つとに基づいて、隣接セルのセル選択信号品質値を算出する第２算出サブモジュールと、
セル選択受信信号レベル強度値と、セル選択信号品質値と、隣接セルへ再選択の再選択条件とに基づいて、セル再選択手順を実行する再選択サブモジュールと、を含む。
【００６９】
ここで、再選択モジュール３２０は、
最小受信信号レベル強度パラメータ、最小受信信号レベル強度オフセットパラメータ、電力補償パラメータ及び測定バイアスパラメータの少なくとも１つのパラメータの周波数点レベルパラメータ値である第１目標パラメータ値、測定された受信信号レベル強度値及び第１目標オフセット量に基づいて、隣接セルのセル選択受信信号レベル強度値を算出する第３算出サブモジュールと、
最小信号品質パラメータ、最小信号品質オフセットパラメータ及び測定バイアスパラメータの少なくとも１つのパラメータの周波数点レベルパラメータ値である第２目標パラメータ値、測定された受信信号品質値、及び第２目標オフセット量に基づいて、隣接セルのセル選択信号品質値を算出する第４算出サブモジュールと、
セル選択受信信号レベル強度値と、セル選択信号品質値と、隣接セルが選択される再選択条件とに基づいて、セル再選択手順を実行する再選択サブモジュールと、を含む。
【００７０】
ここで、再選択モジュール３２０は、
測定された受信信号レベル強度値及び第１中間量に基づいて、隣接セルのセル選択受信信号レベル強度値を算出する第５算出サブモジュールと、
測定された受信信号品質値及び第２中間量に基づいて、隣接セルのセル選択信号品質値を算出する第６算出サブモジュールと、
セル選択受信信号レベル強度値と、セル選択信号品質値と、隣接セルが選択される再選択条件とに基づいて、セル再選択手順を実行する再選択サブモジュールと、を含む。
【００７１】
ここで、再選択サブモジュールは、
隣接セルの優先度がソースセルの優先度と同一であり、又は隣接セルとソースセルとが同じ周波数点にある場合、セル選択受信信号レベル強度値及びセル選択信号品質値の両方が０よりも大きくなると、ソースセル及び隣接セルをランク付けするランク付けユニットと、
ソースセルからランク付け閾値が提供されなければ、ソースセルから隣接セルのうち最もランクの高いセルへ再選択する第１再選択ユニットを含み、
又は、
ソースセルからランク付け閾値が提供された場合、ソースセルから、隣接セルのうち最も高いランクのセルとのランク差がランク付け閾値以下である第１セルのうち、品質が閾値よりも高くビーム数が最も多いセルへ再選択する第２再選択ユニット、を含む。
【００７２】
ここで、再選択サブモジュールは、
隣接セルの優先度がソースセルの優先度よりも低い場合、ソースセルからソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内にソースセルのＳｑｕａｌ＜ＴｈｒｅｓｈＳｅｒｖｉｎｇ，ＬｏｗＱ、且つ、隣接セルのＳｑｕａｌ＞ＴｈｒｅｓｈＸ，ＬｏｗＱ又は隣接セルのＳｒｘｌｅｖ＞ＴｈｒｅｓｈＸ，ＬｏｗＰのであれば、ソースセルから隣接セルへ再選択する第３再選択ユニット、
又は、
ソースセルからソースセルのＴｈｒｅｓｈＳｅｒｖｉｎｇ，ＬｏｗＱが提供されない場合、再選択時間帯ＴｒｅｓｅｌｅｃｔｉｏｎＲＡＴ内にソースセルのＳｒｘｌｅｖ＜ＴｈｒｅｓｈＳｅｒｖｉｎｇ，ＬｏｗＰ、且つ隣接セルのＳｒｘｌｅｖ＞ＴｈｒｅｓｈＸ，ＬｏｗＰのであれば、ソースセルから隣接セルへ再選択する第４再選択ユニットを含む。
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、ソースセルのＳｑｕａｌ閾値であり、ＴｈｒｅｓｈＳｅｒｖｉｎｇ，ＬｏｗＰは、ソースセルのＳｒｘｌｅｖ閾値であり、ＴｈｒｅｓｈＸ，ＬｏｗＱは、隣接セルのＳｑｕａｌ閾値であり、ＴｈｒｅｓｈＸ，ＬｏｗＰは、隣接セルのＳｒｘｌｅｖ閾値である。
【００７３】
ここで、再選択サブモジュールは、
隣接セルの優先度がソースセルの優先度よりも高い場合、ソースセルからソースセルのＳｑｕａｌに対応するＴｈｒｅｓｈＳｅｒｖｉｎｇ，ＬｏｗＱが提供されると、再選択時間帯ＴｒｅｓｅｌｅｃｔｉｏｎＲＡＴ内に隣接セルのＳｑｕａｌ＞ＴｈｒｅｓｈＸ，ＨｉｇｈＱのであれば、ソースセルから隣接セルへ再選択する第５再選択ユニット、
又は、
ソースセルからソースセルのＴｈｒｅｓｈＳｅｒｖｉｎｇ，ＬｏｗＱが提供されない場合、再選択時間帯ＴｒｅｓｅｌｅｃｔｉｏｎＲＡＴ内に隣接セルのＳｒｘｌｅｖ＞ＴｈｒｅｓｈＸ，ＨｉｇｈＰのであれば、ソースセルから隣接セルへ再選択する第６再選択ユニットを含む。
ここで、Ｓｑｕａｌは、セル選択信号品質値であり、Ｓｒｘｌｅｖは、セル選択受信信号レベル強度値であり、ＴｈｒｅｓｈＳｅｒｖｉｎｇ，ＬｏｗＱは、ソースセルのＳｑｕａｌ閾値であり、ＴｈｒｅｓｈＸ，ＨｉｇｈＱは、隣接セルのＳｑｕａｌ閾値であり、ＴｈｒｅｓｈＸ，ＨｉｇｈＰは、隣接セルのＳｒｘｌｅｖ閾値である。
【００７４】
ここで、再選択情報は、隣接セルの物理セル識別子ＰＣＩを更に含み、ＰＣＩは、セルレベル再選択パラメータに対応する。
【００７５】
ここで、再選択情報は、隣接セルの優先度を示す優先度情報を更に含む。
【００７６】
ここで、優先度情報は、基本優先度情報を含む。
又は、優先度情報は、基本優先度情報と副優先度情報を含み、ここで、副優先度情報の値の粒度は、基本優先度の値の粒度よりも小さい。
【００７７】
なお、本開示の一部実施例に係る端末は、隣接セルのセルレベル再選択パラメータを取得し、セルレベル再選択パラメータに基づいてセル再選択を行うことで、再選択後のセルの品質がキャンプオン要件を満たすことを保証し、セル再選択の後に端末の接続が安定しない問題が避けられる。
【００７８】
上記目的をよりよく実現するために、更に、図４は、本開示の各実施例を実現する端末のハードウェア構造図である。該端末４０は、ラジオ周波数ユニット４１と、ネットワークモジュール４２と、音声出力ユニット４３と、入力ユニット４４と、センサ４５と、表示ユニット４６と、ユーザ入力ユニット４７と、インタフェースユニット４８と、メモリ４９と、プロセッサ４１０と、電源４１１などの構成要素を含むが、これらに限定されない。図４に示される端末の構造は、端末を限定するものではなく、端末は、図示されるよりも多い又は少ない構成要素、又は特定の構成要素を組み合わせ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７９】
ここで、ラジオ周波数ユニット４１は、セル再選択に関する再選択情報であって、隣接セルのセルレベル再選択パラメータを含む再選択情報を取得し、
プロセッサ４１０は、セルレベル再選択パラメータと、隣接セルへ再選択の再選択条件とに基づいて、セル再選択手順を実行する。
【００８０】
本開示の一部実施例に係る端末は、隣接セルのセルレベル再選択パラメータを取得し、セルレベル再選択パラメータに基づいてセル再選択を行うことで、再選択後のセルの品質がキャンプオン要件を満たすことを保証し、セル再選択の後に端末の接続が安定しない問題が避けられる。。
【００８１】
なお、本開示の実施例において、ラジオ周波数ユニット４１は、情報の送受信又は通話中で信号の送受信に用いられ、具体的に、基地局から下りデータを受信した後、プロセッサ４１０による処理に供し、また、上りデータを基地局に送信する。一般に、ラジオ周波数ユニット４１は、アンテナ、少なくとも１つの増幅器、トランシーバ、結合器、低雑音増幅器、デュプレクサなどを含むが、それらに限定されない。また、ラジオ周波数ユニット４１は、無線通信システムを介してネットワークや他の機器と通信を行うこともできる。
【００８２】
端末は、ネットワークモジュール４２を介して、電子メールの送受信、ウェブページの閲覧、ストリーミングメディアへのアクセスを支援するなど、無線ブロードバンドインターネットアクセスをユーザに提供する。
【００８３】
音声出力ユニット４３は、ラジオ周波数ユニット４１やネットワークモジュール４２が受信した音声データや、メモリ４９に記憶された音声データを音声信号に変換して音声として出力することができる。また、音声出力ユニット４３は、端末４０が実行する特定の機能に関する音声（例えば、呼出信号着信音、メッセージ着信音等）を出力してもよい。音声出力ユニット４３は、スピーカ、ブザー及びレシーバなどを含む。
【００８４】
入力ユニット４４は、音声や映像の信号を受信することに用いられる。入力ユニット４４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）４４１と、マイク４４２とを含む。処理された画像フレームは、表示ユニット４６上に表示される。グラフィックスプロセッサ４４１で処理された画像フレームは、メモリ４９（又は他の記憶媒体）に記憶されるか、又はラジオ周波数ユニット４１又はネットワークモジュール４２を介して送信される。マイク４４２は、音声を受信し、音声データに加工することができる。処理された音声データは、電話通話モードの場合、ラジオ周波数ユニット４１を介して移動体通信基地局に送信可能な形式に変換して出力することができる。
【００８５】
端末４０は、光センサ、モーションセンサ及び他のセンサのような少なくとも１つのセンサ４５を更に含む。具体的には、光センサは、周辺光センサ及び近接センサを含む。周辺光センサは、周辺光の明暗に応じて表示パネル４６１の輝度を調節し、近接センサは、端末４０が耳に移動したときに表示パネル４６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ４５は、指紋センサ、圧力センサ、虹彩センサ、分子センサ、ジャイロスコープ、気圧計、湿度計、温度計、赤外線センサなどを更に含むことができるが、ここでは枚挙しない。
【００８６】
表示ユニット４６は、ユーザが入力した情報やユーザに提供した情報を表示するために用いられる。表示ユニット４６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル４６１を含んでもよい。
【００８７】
ユーザ入力ユニット４７は、数字や文字情報の入力を受け付け、ユーザによる端末の設定や機能制御に関するキー信号の入力を行うことに用いられる。具体的に、ユーザ入力ユニット４７は、タッチパネル４７１と、その他の入力機器４７２とを含む。タッチパネル４７１は、タッチスクリーンとも呼ばれ、その上又は付近でのユーザのタッチ操作を取得可能である（例えばユーザが指やスタイラスなどの任意の適切な物体や付属部材を用いたタッチパネル４７１の上又はタッチパネル４７１の付近での操作）。タッチパネル４７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ４１０に送り、プロセッサ４１０からの命令を受信して実行する。なお、タッチパネル４７１は、抵抗膜式、静電容量式、赤外線、表面弾性波など、種々の方式を用いて実現することができる。ユーザ入力ユニット４７は、タッチパネル４７１の他に、他の入力機器４７２を含んでもよい。具体的に、他の入力機器４７２は、物理的なキーボード、機能キー（例えば、音量調節キー、スイッチキーなど）、トラックボール、マウス、レバーを含むが、ここでは枚挙しない。
【００８８】
更に、タッチパネル４７１は、表示パネル４６１に重ねられる。タッチパネル４７１は、その上又はその近くでタッチ操作を検出すると、プロセッサ４１０に送信して、タッチイベントのタイプを決定する。次いで、プロセッサ４１０は、タッチイベントのタイプに応じて、対応する視覚的出力を表示パネル４６１に提供する。図４では、タッチパネル４７１と表示パネル４６１は、独立した２つの部品として端末の入出力機能を実現するが、実施例によっては、タッチパネル４７１と表示パネル４６１を一体化して端末の入出力機能を実現することもでき、具体的にここでは限定しない。
【００８９】
インタフェースユニット４８は、外部装置と端末４０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット４８は、外部装置から入力（例えば、データ情報、電力など）を受信し、受信した入力を端末４０内の１つ以上の要素に伝送するために使用されてもよく、又は端末４０と外部装置との間でデータを伝送するために使用されてもよい。
【００９０】
メモリ４９は、ソフトウェアプログラム及び様々なデータを格納するために使用される。メモリ４９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ４９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００９１】
プロセッサ４１０は、端末の制御センタであり、各種インタフェースや回線を用いて端末全体の各部を接続し、メモリ４９に格納されたソフトウェアプログラム及び／又はモジュールを実行、メモリ４９に格納されたデータを呼び出して端末の各種機能及び処理データを実行し、端末全体の監視を行う。プロセッサ４１０は、１つ以上の処理ユニットを含んでもよい。選択可能で、プロセッサ４１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ４１０に統合されなくてもよいことが理解される。
【００９２】
端末４０は、各構成要素に電力を供給するためのバッテリのような電源４１１を更に含んでもよい。選択可能に、電源４１１は、電源管理システムを介してプロセッサ４１０に論理的に接続されてもよく、電源管理システムを介して充電、放電、及び消費電力管理などを管理する機能を実現してもよい。
【００９３】
また、端末４０は、図示しない機能モジュールを更に含んでもよく、ここでの説明は省略する。
【００９４】
選択可能で、本開示の一部実施例は、プロセッサ４１０と、メモリ４９と、メモリ４９に格納されてプロセッサ４１０で動作可能なコンピュータプログラムを含む端末を更に提供し、該コンピュータプログラムがプロセッサ４１０によって実行されると、上記セル再選択方法の実施例の各プロセスが実現され、且つ同じ技術効果を奏することもできるので、重複を避けるために、ここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つ又は複数のコアネットワークと通信可能である。無線端末は、移動電話（又は「セルラー」電話と称される）などの移動端末、移動端末を有するコンピュータなどである。例えば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００９５】
本開示の一部実施例は、コンピュータプログラムが格納されているコンピュータ読み取り可能な記憶媒体を更に提供し、当該コンピュータプログラムがプロセッサによって実行されると、上記セル再選択方法の実施例の各プロセスが実現され、且つ同じ技術効果を奏することもできるので、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９６】
以上の実施例は、端末側から本開示のセル再選択方法を紹介したが、以下、本実施例は、更に、ネットワーク機器側のセル再選択方法について図面を参照しながら紹介する。
【００９７】
図５に示すように、本開示の一部実施例に係るネットワーク機器側に応用されるセル再選択方法は、
セル再選択に関する再選択情報であって、隣接セルのセルレベル再選択パラメータを含む再選択情報を送信するステップ５１を含む。
【００９８】
ここで、隣接セルは、適切な再選択セルのうちの１つであり、異なる隣接セルは、同じ又は異なる優先度に設定されてもよい。ここで、適切な再選択セルとは、端末がキャンプオンして正常なサービスを取得することができるセルを意味する。端末は、有効なＵＳＩＭを備える必要があり、且つ上記端末側の実施例に係る適切な再選択セルが満足する条件を満たすが、ここでは繰り返して述べない。
【００９９】
ここで、再選択情報は、ソースセル（又はサービングセル、本セルと呼ばれる）によって端末に対して設定される。例えば、再選択情報は、ソースセルが無線リソース制御ＲＲＣ（Ｒａｄｉｏ  Ｒｅｓｏｕｒｃｅ  Ｃｏｎｔｒｏｌ）シグナリングによって端末に対して設定し、及び／又は、システムメッセージによって端末に対してブロードキャストする。ここで、ＲＲＣシグナリングは、ＲＲＣリリース（ＲＲＣ  ｒｅｌｅａｓｅ）メッセージなどである。システムメッセージは、ＳＩＢ２、ＳＩＢ４、又はＳＩＢ５などである。
【０１００】
ここで、本開示の一部実施例に係るセルレベル再選択パラメータは、隣接セルの実際のネットワーク性能を表すことができるパラメータを指し、再選択情報には、隣接セルの周波数点レベル再選択パラメータも含まれてもよい。周波数点レベル再選択パラメータは、隣接セルが位置する周波数点のネットワーク性能を表すことができるパラメータを指す。具体的には、セルレベル再選択情報は、最小受信信号レベル強度パラメータと、最小受信信号レベル強度オフセットパラメータと、最小信号品質値パラメータと、最小信号品質オフセットパラメータと、電力補償値パラメータと、測定バイアスパラメータと、第１目標オフセット量と、第２目標オフセット量と、受信信号レベル強度値に関する第１中間量と、信号品質値に関する第２中間量と、の少なくとも１つを含む。
ここで、第１目標オフセット量は、最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である。
第２目標オフセット量は、最小信号品質パラメータ、最小信号品質オフセットパラメータ、及び測定バイアスパラメータの少なくとも１つのパラメータのセルレベルパラメータ値と周波数点レベルパラメータ値との差の和である。
第１中間量は、最小受信信号レベル強度パラメータ、最小受信信号レベル強度オフセットパラメータ、電力補償パラメータ、及び測定バイアスパラメータの少なくとも１つのパラメータのセルレベルパラメータ値に関する。
第２中間量は、最小信号品質パラメータ、最小信号品質オフセットパラメータ、及び測定バイアスパラメータの少なくとも１つのパラメータのセルレベルパラメータ値に関する。ここで、上記パラメータに関する説明は、端末側の実施例を参照し、ネットワーク機器側の実施例では、繰り返して述べない。
【０１０１】
なお、再選択情報は、隣接セルの物理セル識別子ＰＣＩを更に含んでもよく、ここで、ＰＣＩは、セルレベル再選択パラメータに対応する。ここでいうＰＣＩとセルレベル再選択パラメータの対応とは、１つのＰＣＩが１つのセルレベル再選択パラメータ群に対応することを指す。即ち、１つのセルレベル再選択パラメータ群は、同一の隣接セルに対応し、あわせて該隣接セルのネットワーク性能を表す。ここで、１つのセルレベル再選択パラメータ群は、上記で言及された様々なパラメータのうちの少なくとも１つを含む。
【０１０２】
ここで、再選択情報は、隣接セルの優先度を示す優先度情報を更に含む。ここで、優先度情報は、基本優先度情報を含む。また、優先度情報は、基本優先度情報と、基本優先度よりも小さい値の粒度を有する副優先度情報とを含んでもよい。更に、副優先度情報は、値の粒度が基本優先度（値の粒度が１である）よりも小さい１段階の副優先度情報を含む。又は、副優先度情報は、少なくとも２段階の値の粒度が異なる副優先度情報を更に含んでもよい。なお、本開示の一部実施例において、値の粒度の具体的な小数範囲は、プロトコルで取り決められるか、ネットワーク機器によって設定されるか、又は、ネットワーク機器と端末との交渉によって決定される。
【０１０３】
本開示の一部実施例に係るセル再選択方法において、ネットワーク機器が隣接セルのセルレベル再選択パラメータを端末に対して設定することで、端末がセルレベル再選択パラメータに基づいてセル再選択を行うことを保証し、再選択後のセルの品質がキャンプオン要件を満たすことを保証し、セル再選択の後に端末の接続が安定しない問題が避けられる。
【０１０４】
以上の実施例は、異なるシナリオにおけるセル再選択指示方法をそれぞれ詳細に紹介したが、以下、本実施例において、更に、それに対応するネットワーク機器について図面を参照しながら紹介する。
【０１０５】
図６に示すように、本開示の一部実施例に係るネットワーク機器６００は、上記実施例における、セル再選択に関する再選択情報であって、隣接セルのセルレベル再選択パラメータを含む再選択情報を送信する方法のディテールを実現し、同じ効果を奏することもできる。
該ネットワーク機器６００は、具体的には、
セル再選択に関する再選択情報であって、隣接セルのセルレベル再選択パラメータを含む再選択情報を送信する送信モジュール６１０を含む。
【０１０６】
ここで、セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量、
最小信号品質パラメータ、最小信号品質オフセットパラメータ、及び測定バイアスパラメータの少なくとも１つのパラメータのセルレベルパラメータ値と周波数点レベルパラメータ値との差の和である第２目標オフセット量、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む。
【０１０７】
ここで、最小受信信号レベル強度パラメータは、隣接セルがブロードキャストする目標最小受信信号レベル強度値である。又は、最小受信信号レベル強度パラメータは、隣接セルに対応する周波数点レベル最小受信信号レベル強度値と、目標最小受信信号レベル強度値と周波数点レベル最小受信信号レベル強度値との差である第１オフセット値とを含む。
【０１０８】
ここで、最小受信信号レベル強度オフセットパラメータは、隣接セルがブロードキャストする目標最小受信信号レベル強度オフセット値である。又は、最小受信信号レベル強度オフセットパラメータは、隣接セルに対応する周波数点レベル最小受信信号レベル強度オフセット値と、目標最小受信信号レベル強度オフセット値と周波数点レベル最小受信信号レベル強度オフセット値との差である第２オフセット値とを含む。
【０１０９】
ここで、最小信号品質パラメータは、隣接セルがブロードキャストする目標最小信号品質値である。又は、最小信号品質パラメータは、隣接セルに対応する周波数点レベル最小信号品質値と、目標最小信号品質値と周波数点レベル最小信号品質値との差である第３オフセット値とを含む。
【０１１０】
ここで、最小信号品質オフセットパラメータは、隣接セルがブロードキャストする目標最小信号品質オフセット値である。又は、最小信号品質オフセットパラメータは、隣接セルに対応する周波数点レベル最小信号品質オフセット値と、目標最小信号品質オフセット値と周波数点レベル最小信号品質オフセット値との差である第４オフセット値とを含む。
【０１１１】
ここで、測定バイアスパラメータは、隣接セルがブロードキャストする目標測定バイアス値である。又は、測定バイアスパラメータは、隣接セルに対応する周波数点レベルの測定バイアス値と、目標測定バイアス値と周波数点レベルの測定バイアス値とのオフセット値である第５オフセット値とを含む。
【０１１２】
ここで、測定バイアスパラメータは、連続障害オフセットパラメータ及び／又はセル仮オフセットパラメータを含む。
【０１１３】
ここで、電力補償パラメータは、最大電力パラメータ及び電力ランクパラメータに基づいて決定される。
【０１１４】
ここで、最大電力パラメータは、隣接セルに対応する目標最大電力値である。又は、最大電力パラメータは、隣接セルに対応する周波数点レベルの最大電力値と、目標最大電力値と周波数点レベルの最大電力値との差である第６オフセット値とを含む。
【０１１５】
ここで、再選択情報は、隣接セルの物理セル識別子ＰＣＩを更に含み、ＰＣＩは、セルレベル再選択パラメータに対応する。
【０１１６】
ここで、再選択情報は、隣接セルの優先度を示す優先度情報を更に含む。
【０１１７】
ここで、優先度情報は、基本優先度情報を含む。
又は、優先度情報は、基本優先度情報と副優先度情報を含み、ここで、副優先度情報の値の粒度は、基本優先度の値の粒度よりも小さい。
【０１１８】
なお、本開示の一部実施例に係るネットワーク機器は、隣接セルのセルレベル再選択パラメータを端末に対して設定することで、端末がセルレベル再選択パラメータに基づいてセル再選択を行うことを保証し、再選択後のセルの品質がキャンプオン要件を満たすことを保証し、セル再選択の後に端末の接続が安定しない問題が避けられる。
【０１１９】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアが処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１２０】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【０１２１】
上記目的をよりよく実現するために、本開示の一部実施例は、プロセッサと、メモリと、メモリに格納されてプロセッサで実行可能なコンピュータプログラムとを含むネットワーク機器を更に提供し、プロセッサがコンピュータプログラムを実行すると、上記のセル再選択方法のステップが実現される。発明の実施例において、コンピュータプログラムが格納されているコンピュータ読み取り可能な記憶媒体を更に提供し、コンピュータプログラムがプロセッサによって実行されると、上記のセル再選択方法のステップが実現される。
【０１２２】
具体的に、本開示の一部実施例は、ネットワーク機器を更に提供する。図７に示すように、該ネットワーク機器７００は、アンテナ７１と、ラジオ周波数装置７２と、ベースバンド装置７３を含む。アンテナ７１は、ラジオ周波数装置７２に接続される。上り方向では、ラジオ周波数装置７２は、アンテナ７１を介して情報を受信し、受信した情報をベースバンド装置７３に送信して処理する。下り方向では、ベースバンド装置７３は、送信すべき情報を処理してラジオ周波数装置７２に送信する。ラジオ周波数装置７２は、受信した情報を処理してアンテナ７１を介して送信する。
【０１２３】
上記周波数バンド処理装置は、ベースバンド装置７３に位置してもよく、上記実施例でネットワーク機器によって実行される方法は、ベースバンド装置７３で実現可能である。このベースバンド装置７３は、プロセッサ７４とメモリ７５を含む。
【０１２４】
ベースバンド装置７３は、例えば少なくとも１つのベースバンドボードを含む。このベースバンドボードには、複数のチップが設けられている。図７に示すように、そのうちの１つのチップは、例えばプロセッサ７４である。プロセッサ７４は、メモリ７５に接続され、メモリ７５の中のプログラムを呼び出すことによって、上記実施例に示されるネットワーク機器の動作を実行する。
【０１２５】
このベースバンド装置７３は、ラジオ周波数装置７２との情報のやり取りに用いられるネットワークインターフェース７６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【０１２６】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数のマイクロプロセッサＤＳＰ、又は１つ又は複数のフィールドプログラマブルゲートアレイＦＰＧＡなどである。記憶素子は、１つのメモリであってもよく、複数の記憶素子の総称であってもよい。
【０１２７】
メモリ７５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本願に記載のメモリ７５は、これらに限られず、これら及びこれら以外の任意の適合する種類のメモリを含むとする。
【０１２８】
具体的には、本開示の実施例に係るネットワーク機器は、メモリ７５に格納されてプロセッサ７４で動作可能なコンピュータプログラムを更に含む。プロセッサ７４は、メモリ７５の中のコンピュータプログラムを呼び出して、図６に示す各モジュールによって実行される方法を実行する。
【０１２９】
具体的には、コンピュータプログラムがプロセッサ７４によって呼び出されると、セル再選択に関する再選択情報であって、隣接セルのセルレベル再選択パラメータを含む再選択情報を送信することを実行する。
【０１３０】
本開示の一部実施例に係るネットワーク機器は、隣接セルのセルレベル再選択パラメータを端末に対して設定することで、端末がセルレベル再選択パラメータに基づいてセル再選択を行うことを保証し、再選択後のセルの品質がキャンプオン要件を満たすことを保証し、セル再選択の後に端末の接続が安定しない問題が避けられる。。
【０１３１】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３２】
記載の便利や簡潔化のために、以上記載したシステム、装置及びユニットの具体的な動作プロセスは、方法実施例における対応プロセスを参照されたく、ここでは繰り返して記載しない。これは、当業者にとって自明である。
【０１３３】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１３４】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１３５】
また、本開示の各実施例における各機能的ユニットは、１つの処理ユニットに一体化されていてもよいし、物理的に別々に設けられていてもよいし、２つ以上が一体化されてもよい。
【０１３６】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１３７】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１３８】
従って、本開示の目的は、任意の計算装置で１つ又は一連のプログラムを実行することによっても実現される。前記計算装置は、周知されている汎用装置である。したがって、本開示の目的は、前記方法又は装置を実現するプログラムコードを含むプログラムプロダクトの提供のみでも実現される。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１３９】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021533692.tif 000003
【図２】
2021533692.tif 000004
【図３】
2021533692.tif 000005
【図４】
2021533692.tif 000006
【図５】
2021533692.tif 000007
【図６】
2021533692.tif 000008
【図７】
2021533692.tif 000009
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
端末に応用されるセル再選択方法であって、
セル再選択に関する再選択情報であって、隣接セルのセルレベル再選択パラメータを含む再選択情報を取得することと、
前記セルレベル再選択パラメータと、前記隣接セルへ再選択の再選択条件とに基づいて、セル再選択手順を実行することと、
を含む、セル再選択方法。
【請求項２】
前記再選択情報は、前記端末が在圏するソースセルのネットワーク機器によって設定され、
又は、前記再選択情報は、受信メッセージ履歴から取得される、請求項１に記載のセル再選択方法。
【請求項３】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項１又は２に記載のセル再選択方法。
【請求項４】
前記最小受信信号レベル強度パラメータは、前記隣接セルがブロードキャストする目標最小受信信号レベル強度値であり、
又は、
前記最小受信信号レベル強度パラメータは、前記隣接セルに対応する周波数点レベル最小受信信号レベル強度値と、前記目標最小受信信号レベル強度値と前記周波数点レベル最小受信信号レベル強度値との差である第１オフセット値とを含む、請求項３に記載のセル再選択方法。
【請求項５】
前記最小受信信号レベル強度オフセットパラメータは、前記隣接セルがブロードキャストする目標最小受信信号レベル強度オフセット値であり、
又は、
前記最小受信信号レベル強度オフセットパラメータは、前記隣接セルに対応する周波数点レベル最小受信信号レベル強度オフセット値と、前記目標最小受信信号レベル強度オフセット値と前記周波数点レベル最小受信信号レベル強度オフセット値との差である第２オフセット値とを含む、請求項３に記載のセル再選択方法。
【請求項６】
前記最小信号品質パラメータは、前記隣接セルがブロードキャストする目標最小信号品質値であり、
又は、
前記最小信号品質パラメータは、前記隣接セルに対応する周波数点レベル最小信号品質値と、前記目標最小信号品質値と前記周波数点レベル最小信号品質値との差である第３オフセット値とを含む、請求項３に記載のセル再選択方法。
【請求項７】
前記最小信号品質オフセットパラメータは、前記隣接セルがブロードキャストする目標最小信号品質オフセット値であり、
又は、
前記最小信号品質オフセットパラメータは、前記隣接セルに対応する周波数点レベル最小信号品質オフセット値と、前記目標最小信号品質オフセット値と前記周波数点レベル最小信号品質オフセット値との差である第４オフセット値とを含む、請求項３に記載のセル再選択方法。
【請求項８】
前記測定バイアスパラメータは、前記隣接セルがブロードキャストする目標測定バイアス値であり、
又は、
前記測定バイアスパラメータは、前記隣接セルに対応する周波数点レベルの測定バイアス値と、前記目標測定バイアス値と前記周波数点レベルの測定バイアス値とのオフセット値である第５オフセット値とを含む、請求項３に記載のセル再選択方法。
【請求項９】
前記測定バイアスパラメータは、連続障害オフセットパラメータ及び／又はセル仮オフセットパラメータを含む、請求項８に記載のセル再選択方法。
【請求項１０】
前記電力補償パラメータは、最大電力パラメータ及び電力ランクパラメータに基づいて決定される、請求項３に記載のセル再選択方法。
【請求項１１】
前記最大電力パラメータは、前記隣接セルに対応する目標最大電力値であり、
又は、
前記最大電力パラメータは、前記隣接セルに対応する周波数点レベルの最大電力値と、前記目標最大電力値と前記周波数点レベルの最大電力値との差である第６オフセット値とを含む、請求項１０に記載のセル再選択方法。
【請求項１２】
前記セルレベル再選択パラメータと、前記隣接セルへ再選択の再選択条件とに基づいて、セル再選択手順を実行することは、
測定された受信信号レベル強度値と、前記セルレベル再選択パラメータのうちの前記最小受信信号レベル強度パラメータ、前記最小受信信号レベル強度オフセットパラメータ、前記電力補償パラメータ、及び前記測定バイアスパラメータのうちの少なくとも１つとに基づいて、前記隣接セルのセル選択受信信号レベル強度値を算出することと、
測定された受信信号品質値と、前記セルレベル再選択パラメータのうちの前記最小信号品質パラメータ、前記最小信号品質オフセットパラメータ、及び前記測定バイアスパラメータのうちの少なくとも１つとに基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含み、
または、
前記セルレベル再選択パラメータと、前記隣接セルへ再選択の再選択条件とに基づいて、セル再選択手順を実行することは、
最小受信信号レベル強度パラメータ、最小受信信号レベル強度オフセットパラメータ、電力補償パラメータ及び測定バイアスパラメータの少なくとも１つのパラメータの周波数点レベルパラメータ値である第１目標パラメータ値、測定された受信信号レベル強度値及び前記第１目標オフセット量に基づいて、前記隣接セルのセル選択受信信号レベル強度値を算出することと、
最小信号品質パラメータ、最小信号品質オフセットパラメータ及び測定バイアスパラメータの少なくとも１つのパラメータの周波数点レベルパラメータ値である第２目標パラメータ値、測定された受信信号品質値、及び前記第２目標オフセット量に基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含み、
または、
前記セルレベル再選択パラメータと、前記隣接セルへ再選択の再選択条件とに基づいて、セル再選択手順を実行することは、
測定された受信信号レベル強度値及び第１中間量に基づいて、前記隣接セルのセル選択受信信号レベル強度値を算出することと、
測定された受信信号品質値及び第２中間量に基づいて、前記隣接セルのセル選択信号品質値を算出することと、
前記セル選択受信信号レベル強度値と、前記セル選択信号品質値と、前記隣接セルへ再選択の再選択条件とに基づいて、セル再選択手順を実行することとを含む、請求項３に記載のセル再選択方法。
【請求項１３】
セル再選択に関する再選択情報であって、隣接セルのセルレベル再選択パラメータを含む再選択情報を取得する取得モジュールと、
前記セルレベル再選択パラメータと、前記隣接セルへ再選択の再選択条件とに基づいて、セル再選択手順を実行する再選択モジュールと、
を含む、端末。
【請求項１４】
前記再選択情報は、前記端末が在圏するソースセルのネットワーク機器によって設定され、
又は、前記再選択情報は、受信メッセージ履歴から取得される、請求項１３に記載の端末。
【請求項１５】
前記セルレベル再選択パラメータは、
最小受信信号レベル強度パラメータと、
最小受信信号レベル強度オフセットパラメータと、
最小信号品質パラメータと、
最小信号品質オフセットパラメータと、
電力補償パラメータと、
測定バイアスパラメータと、
最小受信信号レベル強度パラメータ、最小受信信号レベル強度オフセットパラメータ、電力補償パラメータ、及び測定バイアスパラメータの少なくとも１つのパラメータのセルレベルパラメータ値と周波数点レベルパラメータ値との差の和である第１目標オフセット量と、
最小信号品質パラメータ、前記最小信号品質オフセットパラメータ、及び測定バイアスパラメータの少なくとも１つのパラメータのセルレベルパラメータ値と周波数点レベルパラメータ値との差の和である第２目標オフセット量と、
受信信号レベル強度値に関する第１中間量であって、最小受信信号レベル強度パラメータ、最小受信信号レベル強度オフセットパラメータ、電力補償パラメータ、及び測定バイアスパラメータの少なくとも１つのパラメータのセルレベルパラメータ値に関する第１中間量と、
信号品質値に関する第２中間量であって、最小信号品質パラメータ、最小信号品質オフセットパラメータ、及び測定バイアスパラメータの少なくとも１つのパラメータのセルレベルパラメータ値に関する第２中間量と、
の少なくとも１つを含む、請求項１３又は１４に記載の端末。
【国際調査報告】
2021533692.tif 000010
2021533692.tif 000011
2021533692.tif 000012
2021533692.tif 000013